(57)【要約】本願の実施例は、データ伝送方法、端末デバイス及びネットワークデバイスを開示し、該方法は、端末デバイスがネットワークデバイスによって送信された第１の指示情報を受信し、ここで、前記第１の指示情報は、少なくとも１つの帯域幅部分ＢＷＰにおいて活性化状態にある第１のＢＷＰ内のセミパーシステントスケジューリングリソース上でデータを伝送できることを指示するために用いられることと、前記端末デバイスが前記第１の指示情報に従って前記第１のＢＷＰ内のセミパーシステントスケジューリングリソースを決定することと、前記端末デバイスが前記第１のＢＷＰ内のセミパーシステントスケジューリングリソース上で前記ネットワークデバイスとデータ伝送を行うことと、を含む。本願の実施例の方法、端末デバイス及びネットワークデバイスは、データ伝送の精度を向上させるのに役立つ。【選択図】図２
2021500770.tif 000002
【特許請求の範囲】
【請求項１】
データ伝送方法であって、
端末デバイスがネットワークデバイスによって送信された第１の指示情報を受信し、ここで、前記第１の指示情報は、少なくとも１つの帯域幅部分ＢＷＰにおいて活性化状態にある第１のＢＷＰ内のセミパーシステントスケジューリングリソース上でデータを伝送できることを指示するために用いられることと、
前記端末デバイスが前記第１の指示情報に従って、前記第１のＢＷＰ内のセミパーシステントスケジューリングリソースを決定することと、
前記端末デバイスが前記第１のＢＷＰ内のセミパーシステントスケジューリングリソース上で前記ネットワークデバイスとデータ伝送を行うことと、を含むことを特徴とするデータ伝送方法。
【請求項２】
前記少なくとも１つのＢＷＰは複数のＢＷＰであり、前記第１の指示情報はさらに、前記端末デバイスの動作ＢＷＰが前記複数のＢＷＰのうちの第２のＢＷＰから前記第１のＢＷＰに切り替えられることを指示するために用いられることを特徴とする請求項１に記載の方法。
【請求項３】
前記少なくとも１つのＢＷＰは複数のＢＷＰであり、前記端末デバイスがネットワークデバイスによって送信された第１の指示情報を受信する前、前記方法はさらに、
前記端末デバイスが前記ネットワークデバイスによって送信された第２の指示情報を受信し、ここで、前記第２の指示情報は、前記端末デバイスの動作ＢＷＰが前記複数のＢＷＰのうちの第２のＢＷＰから前記第１のＢＷＰに切り替えられることを指示するために用いられることを含むことを特徴とする請求項１に記載の方法。
【請求項４】
前記端末デバイスが前記第１の指示情報に従って前記第１のＢＷＰ内のセミパーシステントスケジューリングリソースを決定することは、
前記端末デバイスが前記第１の指示情報に従って、前記第１のＢＷＰ内のセミパーシステントスケジューリングリソースの周波数領域位置を決定することを含み、
前記端末デバイスが前記第１のＢＷＰ内のセミパーシステントスケジューリングリソース上で前記ネットワークデバイスとデータ伝送を行うことは、
前記端末デバイスが事前に設定された周期で前記第１のＢＷＰ内のセミパーシステントスケジューリングリソース上で前記ネットワークデバイスとデータ伝送を行うことを含むことを特徴とする請求項１から３のいずれか一項に記載の方法。
【請求項５】
前記端末デバイスが前記第２の指示情報を受信した後、かつ、前記端末デバイスが前記第１の指示情報を受信する前、前記第１のＢＷＰ内のセミパーシステントスケジューリングリソースは、非活性化状態にあることを特徴とする請求項３に記載の方法。
【請求項６】
前記セミパーシステントスケジューリングリソースは、アップリンクリソース及び／又はダウンリンクリソースを含むことを特徴とする請求項１から５のいずれか一項に記載の方法。
【請求項７】
前記第１の指示情報は、ダウンリンク制御情報ＤＣＩ又は無線リソース制御ＲＲＣシグナリングで運ばれることを特徴とする請求項１から６のいずれか一項に記載の方法。
【請求項８】
前記端末デバイスが前記第１の指示情報に従って前記第１のＢＷＰ内のセミパーシステントスケジューリングリソースを決定することは、
前記端末デバイスによって送信された前記第１の指示情報を受信した後、前記端末デバイスが前記ネットワークデバイスの事前設定に従って前記第１のＢＷＰ内のセミパーシステントスケジューリングリソースを決定することを含むことを特徴とする請求項１から７のいずれか一項に記載の方法。
【請求項９】
データ伝送方法であって、
ネットワークデバイスが第１の指示情報を端末デバイスに送信し、ここで、前記第１の指示情報は、前記端末デバイスが複数の帯域幅部分ＢＷＰにおいて活性化状態にある第１のＢＷＰ内のセミパーシステントスケジューリングリソース上でデータを伝送できることを指示するために用いられることを含むことを特徴とするデータ伝送方法。
【請求項１０】
前記第１の指示情報はさらに、前記端末デバイスの動作ＢＷＰが前記複数のＢＷＰのうちの第２のＢＷＰから前記第１のＢＷＰに切り替えられることを指示するために用いられることを特徴とする請求項９に記載の方法。
【請求項１１】
前記ネットワークデバイスが第１の指示情報を端末デバイスに送信する前、前記方法はさらに、
前記ネットワークデバイスが第２の指示情報を前記端末デバイスに送信し、ここで、前記第２の指示情報は、前記端末デバイスの動作ＢＷＰが前記複数のＢＷＰのうちの第２のＢＷＰから前記第１のＢＷＰに切り替えられることを指示するために用いられることを含むことを特徴とする請求項９に記載の方法。
【請求項１２】
前記第１の指示情報は、ダウンリンク制御情報ＤＣＩ又は無線リソース制御ＲＲＣシグナリングで運ばれることを特徴とする請求項９から１１のいずれか一項に記載の方法。
【請求項１３】
前記ネットワークデバイスが前記第２の指示情報を送信した後、かつ、前記ネットワークデバイスが前記第１の指示情報を送信する前、前記第１のＢＷＰ内のセミパーシステントスケジューリングリソースは、非活性化状態にあることを特徴とする請求項１１に記載の方法。
【請求項１４】
前記セミパーシステントスケジューリングリソースは、アップリンクリソース及び／又はダウンリンクリソースを含むことを特徴とする請求項９から１３のいずれか一項に記載の方法。
【請求項１５】
前記方法はさらに、
前記ネットワークデバイスがＲＲＣシグナリングによって前記第１のＢＷＰ内のセミパーシステントスケジューリングリソースを前記端末デバイスに配置することを含むことを特徴とする請求項９から１４のいずれか一項に記載の方法。
【請求項１６】
端末デバイスであって、
ネットワークデバイスによって送信された第１の指示情報を受信するために用いられ、ここで、前記第１の指示情報は、少なくとも１つの帯域幅部分ＢＷＰにおいて活性化状態にある第１のＢＷＰ内のセミパーシステントスケジューリングリソース上でデータを伝送できることを指示するために用いられる第１の受信ユニットと、
前記第１の指示情報に従って前記第１のＢＷＰ内のセミパーシステントスケジューリングリソースを決定するための決定ユニットと、
前記第１のＢＷＰ内のセミパーシステントスケジューリングリソース上で前記ネットワークデバイスとデータ伝送を行うための伝送ユニットと、を含むことを特徴とする端末デバイス。
【請求項１７】
前記少なくとも１つのＢＷＰは複数のＢＷＰであり、前記第１の指示情報はさらに、前記端末デバイスの動作ＢＷＰが前記複数のＢＷＰのうちの第２のＢＷＰから前記第１のＢＷＰに切り替えられることを指示するために用いられることを特徴とする請求項１６に記載の端末デバイス。
【請求項１８】
前記少なくとも１つのＢＷＰは複数のＢＷＰであり、前記端末デバイスはさらに、
前記ネットワークデバイスによって送信された第２の指示情報を受信するために用いられ、ここで、前記第２の指示情報は、前記端末デバイスの動作ＢＷＰが前記複数のＢＷＰのうちの第２のＢＷＰから前記第１のＢＷＰに切り替えられることを指示するために用いられる第２の受信ユニットを含むことを特徴とする請求項１６に記載の端末デバイス。
【請求項１９】
前記決定ユニットは具体的には、
前記第１の指示情報に従って、前記第１のＢＷＰ内のセミパーシステントスケジューリングリソースの周波数領域位置を決定するために用いられ、
前記伝送ユニットは具体的には、
事前に設定された周期で前記第１のＢＷＰ内のセミパーシステントスケジューリングリソース上で前記ネットワークデバイスとデータ伝送を行うために用いられることを特徴とする請求項１６から１８のいずれか一項に記載の端末デバイス。
【請求項２０】
前記第２の受信ユニットが前記第２の指示情報を受信した後、かつ、前記第１の受信ユニットが前記第１の指示情報を受信する前、前記第１のＢＷＰ内のセミパーシステントスケジューリングリソースは、非活性化状態にあることを特徴とする請求項１８に記載の端末デバイス。
【請求項２１】
前記セミパーシステントスケジューリングリソースは、アップリンクリソース及び／又はダウンリンクリソースを含むことを特徴とする請求項１６から２０のいずれか一項に記載の端末デバイス。
【請求項２２】
前記第１の指示情報は、ダウンリンク制御情報ＤＣＩ又は無線リソース制御ＲＲＣシグナリングで運ばれることを特徴とする請求項１６から２１のいずれか一項に記載の端末デバイス。
【請求項２３】
前記決定ユニットは具体的には、
前記端末デバイスによって送信された前記第１の指示情報を受信した後、前記ネットワークデバイスの事前設定に従って、前記第１のＢＷＰ内のセミパーシステントスケジューリングリソースを決定するために用いられることを特徴とする請求項１６から２２のいずれか一項に記載の端末デバイス。
【請求項２４】
ネットワークデバイスであって、
端末デバイスが複数の帯域幅部分ＢＷＰにおいて活性化状態にある第１のＢＷＰ内のセミパーシステントスケジューリングリソース上でデータを伝送できることを指示するために用いられる第１の指示情報を生成するための生成ユニットと、
前記第１の指示情報を前記端末デバイスに送信するための第１の送信ユニットと、を含むことを特徴とするネットワークデバイス。
【請求項２５】
前記第１の指示情報はさらに、前記端末デバイスの動作ＢＷＰが前記複数のＢＷＰのうちの第２のＢＷＰから前記第１のＢＷＰに切り替えられることを指示するために用いられることを特徴とする請求項２４に記載のネットワークデバイス。
【請求項２６】
前記ネットワークデバイスはさらに、
前記端末デバイスの動作ＢＷＰが前記複数のＢＷＰのうちの第２のＢＷＰから前記第１のＢＷＰに切り替えられることを指示するために用いられる第２の指示情報を前記端末デバイスに送信するための第２の送信ユニットを含むことを特徴とする請求項２４に記載のネットワークデバイス。
【請求項２７】
前記第１の指示情報は、ダウンリンク制御情報ＤＣＩ又は無線リソース制御ＲＲＣシグナリングで運ばれることを特徴とする請求項２４から２６のいずれか一項に記載のネットワークデバイス。
【請求項２８】
前記第２の送信ユニットが前記第２の指示情報を送信した後、かつ、前記第１の送信ユニットが前記第１の指示情報を送信する前、前記第１のＢＷＰ内のセミパーシステントスケジューリングリソースは、非活性化状態にあることを特徴とする請求項２６に記載のネットワークデバイス。
【請求項２９】
前記セミパーシステントスケジューリングリソースは、アップリンクリソース及び／又はダウンリンクリソースを含むことを特徴とする請求項２４から２８のいずれか一項に記載のネットワークデバイス。
【請求項３０】
前記ネットワークデバイスはさらに、
ＲＲＣシグナリングによって前記第１のＢＷＰ内のセミパーシステントスケジューリングリソースを前記端末デバイスに配置するための配置ユニットを含むことを特徴とする請求項２４から２９のいずれか一項に記載のネットワークデバイス。
【発明の詳細な説明】
【技術分野】
【０００１】
本願の実施例は、通信の分野に関し、特に、データ伝送方法、端末デバイス及びネットワークデバイスに関する。
【背景技術】
【０００２】
ロングタームエボルブド（Ｌｏｎｇ  Ｔｅｒｍ  Ｅｖｏｌｖｅｄ、ＬＴＥ）では、ネットワークデバイスは、データを伝送するためにシステム帯域幅で端末デバイスにセミパーシステントスケジューリング（Ｓｅｍｉ−Ｐｅｒｓｉｓｔｅｎｔ  Ｓｃｈｅｄｕｌｉｎｇ、ＳＰＳ）リソースを配置する。ニューラジオ（Ｎｅｗ  Ｒａｄｉｏ、ＮＲ）では、端末デバイスがサポートできるシステム帯域幅が２０ＭＨｚまでのＬＴＥのシステム帯域幅よりはるかに大きいので、スケジューリング効率を改善するために、帯域幅部分（ＢａｎｄＷｉｄｔｈ  Ｐａｒｔ、ＢＷＰ）の概念が導入される。無線リソース制御（Ｒａｄｉｏ  Ｒｅｓｏｕｒｃｅ  Ｃｏｎｔｒｏｌ、ＲＲＣ）接続状態では、ネットワークは端末に１つ以上のＢＷＰを配置する。端末デバイスが活性化されたＢＷＰ内のＳＰＳリソースをどのように使用してデータを伝送するかは、解決される必要がある問題である。
【発明の概要】
【発明が解決しようとする課題】
【０００３】
これに鑑みて、本願の実施例は、データ伝送の精度を向上させるのに役立つ、データ伝送方法、端末デバイス及びネットワークデバイスを提供する。
【課題を解決するための手段】
【０００４】
第１の態様にて提供されるデータ伝送方法は、端末デバイスがネットワークデバイスによって送信された第１の指示情報を受信し、ここで、該第１の指示情報は、少なくとも１つの帯域幅部分ＢＷＰにおいて活性化状態にある第１のＢＷＰ内のセミパーシステントスケジューリングリソース上でデータを伝送できることを指示するために用いられることと、該端末デバイスが該第１の指示情報に従って該第１のＢＷＰ内のセミパーシステントスケジューリングリソースを決定することと、該端末デバイスが該第１のＢＷＰ内のセミパーシステントスケジューリングリソース上で該ネットワークデバイスとデータ伝送を行うことと、を含む。
【０００５】
あるＢＷＰが活性化されている場合、ネットワークデバイスによって該ＢＷＰでのＳＰＳリソースの取得をトリガし、これはデータ伝送の精度を向上させるのに役立つ。
【０００６】
ＢＷＰは周波数領域の次元概念である。基本パラメータセット、中心周波数点、及び帯域幅のうちの少なくとも１つのパラメータが異なることで異なるＢＷＰになり得る。
【０００７】
ネットワークデバイスは端末デバイスに対して１つ又は複数のＢＷＰを配置することができ、ネットワークデバイスは異なるＢＷＰに対して対応するＳＰＳリソースを同時に配置することができる。
【０００８】
１つの可能な実施形態では、該少なくとも１つのＢＷＰは複数のＢＷＰであり、該第１の指示情報はさらに、該端末デバイスの動作ＢＷＰが該複数のＢＷＰのうちの第２のＢＷＰから該第１のＢＷＰに切り替えられることを指示するために用いられる。
【０００９】
１つの可能な実施形態では、該少なくとも１つのＢＷＰは複数のＢＷＰであり、該端末デバイスがネットワークデバイスによって送信された第１の指示情報を受信する前、該方法はさらに、該端末デバイスが該ネットワークデバイスによって送信された第２の指示情報を受信し、ここで、該第２の指示情報は、該端末デバイスの動作ＢＷＰが該複数のＢＷＰのうちの第２のＢＷＰから該第１のＢＷＰに切り替えられることを指示するために用いられることを含む。
【００１０】
１つの可能な実施形態では、該端末デバイスが該第１の指示情報に従って該第１のＢＷＰ内のセミパーシステントスケジューリングリソースを決定することは、該端末デバイスが該第１の指示情報に従って該第１のＢＷＰ内のセミパーシステントスケジューリングリソースの周波数領域位置を決定することを含む。該端末デバイスが該第１のＢＷＰ内のセミパーシステントスケジューリングリソース上で該ネットワークデバイスとデータ伝送を行うことは、該端末デバイスが事前に設定された周期で該第１のＢＷＰ内のセミパーシステントスケジューリングリソース上で該ネットワークデバイスとデータ伝送を行うことを含む。
【００１１】
１つの可能な実施形態では、該端末デバイスが該第２の指示情報を受信した後、かつ、該端末デバイスが該第１の指示情報を受信する前、該第１のＢＷＰ内のセミパーシステントスケジューリングリソースは、非活性化状態にある。
【００１２】
１つの可能な実施形態では、該セミパーシステントスケジューリングリソースは、アップリンクリソース及び／又はダウンリンクリソースを含む。
【００１３】
１つの可能な実施形態では、該第１の指示情報は、ダウンリンク制御情報ＤＣＩ又は無線リソース制御ＲＲＣシグナリングで運ばれる。
【００１４】
１つの可能な実施形態では、該端末デバイスが該第１の指示情報に従って該第１のＢＷＰ内のセミパーシステントスケジューリングリソースを決定することは、該端末デバイスによって送信された該第１の指示情報を受信した後、該端末デバイスが該ネットワークデバイスの事前設定に従って該第１のＢＷＰ内のセミパーシステントスケジューリングリソースを決定することを含む。
【００１５】
第２の態様にて提供されるデータ伝送方法は、ネットワークデバイスが第１の指示情報を端末デバイスに送信し、ここで、該第１の指示情報は、該端末デバイスが複数の帯域幅部分ＢＷＰにおいて活性化状態にある第１のＢＷＰ内のセミパーシステントスケジューリングリソース上でデータを伝送できることを指示するために用いられることを含む。
【００１６】
１つの可能な実施形態では、該第１の指示情報はさらに、該端末デバイスの動作ＢＷＰが該複数のＢＷＰのうちの第２のＢＷＰから該第１のＢＷＰに切り替えられることを指示するために用いられる。
【００１７】
１つの可能な実施形態では、該ネットワークデバイスが第１の指示情報を端末デバイスに送信する前、該方法はさらに、該ネットワークデバイスが第２の指示情報を該端末デバイスに送信し、ここで、該第２の指示情報は、該端末デバイスの動作ＢＷＰが該複数のＢＷＰのうちの第２のＢＷＰから該第１のＢＷＰに切り替えられることを指示するために用いられることを含む。
【００１８】
１つの可能な実施形態では、該第１の指示情報は、ダウンリンク制御情報ＤＣＩ又は無線リソース制御ＲＲＣシグナリングで運ばれる。
【００１９】
１つの可能な実施形態では、該ネットワークデバイスが該第２の指示情報を送信した後、かつ、該ネットワークデバイスが該第１の指示情報を送信する前、該第１のＢＷＰ内のセミパーシステントスケジューリングリソースは、非活性化状態にある。
【００２０】
１つの可能な実施形態では、該セミパーシステントスケジューリングリソースは、アップリンクリソース及び／又はダウンリンクリソースを含む。
【００２１】
１つの可能な実施形態では、該方法はさらに、該ネットワークデバイスがＲＲＣシグナリングによって該第１のＢＷＰ内のセミパーシステントスケジューリングリソースを該端末デバイスに配置することを含む。
【００２２】
第３の態様にて提供される端末デバイスは、上記の第１の態様又は第１の態様のいずれかの可能な実施形態の方法を実行するために用いられる。具体的には、該端末デバイスは、上記の第１の態様又は第１の態様のいずれかの可能な実施形態の方法を実行するためのユニットを含む。
【００２３】
第４の態様にて提供されるネットワークデバイスは、上記の第２の態様又は第２の態様のいずれかの可能な実施形態の方法を実行するために用いられる。具体的には、該ネットワークデバイスは、上記の第２の態様又は第２の態様のいずれかの可能な実施形態の方法を実行するためのユニットを含む。
【００２４】
第５の態様にて提供される端末デバイスは、メモリと、プロセッサと、入力インタフェースと、出力インタフェースとを含み、ここで、メモリ、プロセッサ、入力インタフェース及び出力インタフェースは、バスシステムによって接続される。該メモリは、命令を記憶するために用いられ、該プロセッサは、該メモリに記憶されている命令を実行するために用いられ、上記の第１の態様又は第１の態様のいずれかの可能な実施形態の方法を実行するために用いられる。
【００２５】
第６の態様にて提供されるネットワークデバイスは、メモリと、プロセッサと、入力インタフェースと、出力インタフェースとを含む。ここで、メモリ、プロセッサ、入力インタフェース及び出力インタフェースは、バスシステムによって接続される。該メモリは、命令を記憶するために用いられ、該プロセッサは、該メモリに記憶されている命令を実行するために用いられ、上記の第２の態様又は第２の態様のいずれかの可能な実施形態の方法を実行するために用いられる。
【００２６】
第７の態様にて提供されるコンピュータ記憶媒体は、上記の第１の態様又は第１の態様のいずれかの可能な実施形態の方法、又は上記の第２の態様又は第２の態様のいずれかの可能な実施形態の方法を実行するように設計されたコンピュータソフトウェア命令を記憶するために用いられ、該命令は上記態様を実行するために設計されたプログラムを含む。
【００２７】
第８の態様にて提供される命令を含むコンピュータプログラム製品は、コンピュータ上で実行されると、コンピュータに、上記の第１の態様又は第１の態様のいずれかの可能な実施形態の方法、又は上記の第２の態様又は第２の態様のいずれかの可能な実施形態の方法を実行させる。
【００２８】
本願のこれらの態様又は他の態様は以下の実施例における説明からより容易に明らかになるであろう。
【図面の簡単な説明】
【００２９】
【図１】本願の実施例による適用シナリオを示す概略図である。
【図２】本願の実施例によるデータ伝送方法を示す概略ブロック図である。
【図３】本願の実施例によるデータ伝送方法を示す別の概略ブロック図である。
【図４】本願の実施例による端末デバイスを示す概略ブロック図である。
【図５】本願の実施例によるネットワークデバイスを示す概略ブロック図である。
【図６】本願の実施例による端末デバイスを示す別の概略ブロック図である。
【図７】本願の実施例によるネットワークデバイスを示す別の概略ブロック図である。
【発明を実施するための形態】
【００３０】
以下、実施例における添付の図面を参照して本願の実施例における技術的解決手段を明確かつ完全に説明する。
【００３１】
本願の実施例の技術的解決手段は、グローバル移動通信システム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ）システム、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ＬＴＥシステム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、マイクロ波アクセスのための世界規模の相互運用性（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、ニューラジオ（Ｎｅｗ  Ｒａｄｉｏ、ＮＲ）又は将来の５Ｇシステムなどの様々な通信システムに適用することができることを理解されたい。
【００３２】
特に、本願の実施例の技術的解決手段は、例えばスパースコード多重アクセス（Ｓｐａｒｓｅ  Ｃｏｄｅ  Ｍｕｌｔｉｐｌｅ  Ａｃｃｅｓｓ、ＳＣＭＡ）システム、低密度署名（Ｌｏｗ  Ｄｅｎｓｉｔｙ  Ｓｉｇｎａｔｕｒｅ、ＬＤＳ）システムなどの非直交多重アクセス技術に基づく様々な通信システムに適用することができ、もちろん、ＳＣＭＡシステム及びＬＤＳシステムは、通信の分野では他の名前と呼ぶこともできる。さらに、本願の実施例の技術的解決手段は、例えば非直交多重アクセス技術を用いた直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）、フィルターバンクマルチキャリア（Ｆｉｌｔｅｒ  Ｂａｎｋ  Ｍｕｌｔｉ−Ｃａｒｒｉｅｒ、ＦＢＭＣ）、汎用周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ、ＧＦＤＭ）、フィルター直交周波数分割多重（Ｆｉｌｔｅｒｅｄ−ＯＦＤＭ、Ｆ−ＯＦＤＭ）システムなどの非直交多重アクセス技術を用いたマルチキャリア伝送システムに適用することができる。
【００３３】
本願の実施例における端末デバイスは、ユーザ機器（Ｕｓｅｒ  Ｅｑｕｉｐｍｅｎｔ、ＵＥ）、アクセス端末、ユーザユニット、ユーザステーション、モバイルステーション、移動基地局、遠隔局、遠隔端末、モバイルデバイス、ユーザ端末、端末、無線通信デバイス、ユーザ代行又はユーザ装置を指してもよい。アクセス端末は、セル方式携帯電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を備えたハンドヘルドデバイス、コンピューティングデバイス又はワイヤレスモデムに接続されたその他の処理デバイス、車載デバイス、ウェアラブルデバイス、将来の５Ｇネットワークにおける端末デバイス又は将来の発展型パブリックランドモバイルネットワーク（Ｐｕｂｌｉｃ  Ｌａｎｄ  Ｍｏｂｉｌｅ  Ｎｅｔｗｏｒｋ、ＰＬＭＮ）における端末デバイスなどでもよく、本願の実施例では限定されない。
【００３４】
本願の実施例におけるネットワークデバイスは、端末デバイスと通信するためのデバイスでもよく、該ネットワークデバイスは、ＧＳＭ又はＣＤＭＡにおける基地局（Ｂａｓｅ  Ｔｒａｎｓｃｅｉｖｅｒ  Ｓｔａｔｉｏｎ、ＢＴＳ）でもよく、ＷＣＤＭＡシステムにおける基地局（ＮｏｄｅＢ、ＮＢ）でもよく、又はＬＴＥシステムにおける発展型基地局（Ｅｖｏｌｕｔｉｏｎａｌ  ＮｏｄｅＢ、ｅＮＢ又はｅＮｏｄｅＢ）でもよく、クラウド無線アクセスネットワーク（Ｃｌｏｕｄ  Ｒａｄｉｏ  Ａｃｃｅｓｓ  Ｎｅｔｗｏｒｋ、ＣＲＡＮ）シナリオにおける無線コントローラでもよく、又は該ネットワークデバイスは、中継局、アクセスポイント、車載デバイス、ウェアラブルデバイス及び将来の５Ｇネットワークにおけるネットワークデバイス、又は将来の発展型ＰＬＭＮネットワークにおけるネットワークデバイスなどでもよく、本願の実施例では限定されない。
【００３５】
図１は本願の実施例による適用シナリオを示す概略図である。図１の通信システムは、端末デバイス１０とネットワークデバイス２０とを含むことができる。ネットワークデバイス２０は、端末デバイス１０に通信サービスを提供してコアネットワークにアクセスするために用いられ、端末デバイス１０は、ネットワークデバイス２０から送信された同期信号や放送信号などを検索することによりネットワークにアクセスし、またネットワークと通信を行う。図１に示す矢印は、端末デバイス１０とネットワークデバイス２０との間のセルラーリンクを介して実行しているアップリンク／ダウンリンク伝送を表すことができる。
【００３６】
ＳＰＳは、無線リソースをセミパーシステントに配置し、該リソースをある固定ＵＥに周期的に割り当てることができるという点で動的スケジューリングとは異なる。簡単に言うと、スケジューリングユニット内のあるリソースがｅＮｏｄｅＢによってあるＵＥに割り当てられると、該ＵＥは各スケジューリングユニット内の固定リソース上でデータを送受信することができる。ＳＰＳは、各スケジューリングユニットにおいてＵＥにダウンリンク制御情報（Ｄｏｗｎｌｉｎｋ  Ｃｏｎｔｒｏｌ  Ｉｎｆｏｒｍａｔｉｏｎ、ＤＣＩ）を送信する必要がないため、制御シグナリングのオーバーヘッドを削減する。
【００３７】
ＬＴＥにおいてネットワークデバイスによって端末デバイスに割り当てられたＳＰＳリソースは、システム帯域幅全体に対するものである。ＮＲでは、端末がサポートするシステム帯域幅は、ＬＴＥにおいて端末がサポートする最大２０ＭＨｚのシステム帯域幅よりはるかに大きい。一部の端末では、能力が制限されているため、必ずしもシステムの全帯域幅をサポートできるわけではない。スケジューリング効率を改善するために、ＢＷＰの概念がＮＲに導入され、そしてＢＷＰが周波数領域の次元概念である。基本パラメータセット、中心周波数点、及び帯域幅のうちの少なくとも１つのパラメータが異なることで異なるＢＷＰになり得る。ＲＲＣ接続状態では、ネットワークは端末に対して１つ又は複数のＢＷＰを配置することができる。１つの時点では、端末は１つの活性化されたＢＷＰしかサポートすることができず、いわゆるＢＷＰを活性化するのは、端末があるＢＷＰによって指定される周波数帯域において、データ送信、システムメッセージなどを含む信号を受信できることを意味する。
【００３８】
異なるＢＷＰの周波数帯域が異なるため、ネットワークによって割り当てられたＳＰＳリソースはもちろん全てのＢＷＰに適用可能ではなく、各ＢＷＰに対してそれぞれ対応するＳＰＳリソースを割り当てる必要がある。あるＢＷＰが活性化されると、端末デバイスがどのようにして該ＢＷＰ内のＳＰＳリソースを取得するかが解決されるべき問題である。
【００３９】
図２は本願の実施例によるデータ伝送方法１００を示す概略ブロック図である。図２に示すように、該方法１００は、Ｓ１１０〜Ｓ１３０の一部又は全ての内容を含む。
Ｓ１１０、端末デバイスがネットワークデバイスによって送信された第１の指示情報を受信し、ここで、該第１の指示情報は、少なくとも１つの帯域幅部分ＢＷＰにおいて活性化状態にある第１のＢＷＰ内のセミパーシステントスケジューリングリソース上でデータを伝送できることを指示するために用いられる。
Ｓ１２０、該端末デバイスが該第１の指示情報に従って該第１のＢＷＰ内のセミパーシステントスケジューリングリソースを決定する。
Ｓ１３０、該端末デバイスが該第１のＢＷＰ内のセミパーシステントスケジューリングリソース上で該ネットワークデバイスとデータ伝送を行う。
【００４０】
具体的には、ネットワークデバイスは端末デバイスに対して１つ又は複数のＢＷＰを配置することができ、かつ、各ＢＷＰに対して異なるＳＰＳリソースを配置することができ、例えば各ＢＷＰでのＳＰＳリソースの周波数領域位置及び／又はＳＰＳリソースの周期を配置することができる。端末デバイスがどのＢＷＰが活性化状態にあるかを決定する時、ネットワークデバイスは端末デバイスに１つのトリガ情報を送信し、対応するＢＷＰ内のＳＰＳリソースを決定するように端末デバイスをトリガすることができる。該トリガ情報は上記の指示情報を指し、該ＢＷＰ内のＳＰＳリソースを活性化するか、又は、該ＢＷＰ内のＳＰＳリソース上でデータを伝送できることを端末デバイスに通知するために用いられ、端末デバイスは、該トリガ情報に従って、該ＢＷＰ内のＳＰＳリソースの位置情報を取得し、その後、端末デバイスは、該ＳＰＳリソース上でデータを送受信することができる。
【００４１】
従って、本願の実施例によるデータ伝送方法では、あるＢＷＰが活性化されると、ネットワークデバイスによって該ＢＷＰでのＳＰＳリソースの取得をトリガし、データ伝送の精度を向上させるのに役立つ。
【００４２】
任意選択的に、本願の実施例では、該少なくとも１つのＢＷＰは、複数のＢＷＰであり、該第１の指示情報はさらに、該端末デバイスの動作ＢＷＰが該複数のＢＷＰのうちの第２のＢＷＰから該第１のＢＷＰに切り替えられることを指示するために用いられる。
【００４３】
任意選択的に、本願の実施例では、該少なくとも１つのＢＷＰは、複数のＢＷＰであり、該端末デバイスがネットワークデバイスによって送信された第１の指示情報を受信する前、該方法はさらに、該端末デバイスが該ネットワークデバイスによって送信された第２の指示情報を受信し、ここで、該第２の指示情報は、該端末デバイスの動作ＢＷＰが該複数のＢＷＰのうちの第２のＢＷＰから該第１のＢＷＰに切り替えられることを指示するために用いられることを含む。
【００４４】
ネットワークデバイスが端末デバイスに対して複数のＢＷＰを配置したとき、ネットワークデバイスは、端末デバイスに命令を送信することによって端末デバイスが複数のＢＷＰの間で切り替えるようにすることができ、すなわち、現在の１つのＢＷＰを活性化し、別の１つのＢＷＰを活性化する。
【００４５】
このような指示方法は、ＲＲＣシグナリング、ダウンリンク制御情報（Ｄｏｗｎｌｉｎｋ  Ｃｏｎｔｒｏｌ  Ｉｎｆｏｒｍａｔｉｏｎ、ＤＣＩ）、又はメディアアクセス制御（Ｍｅｄｉａ  Ａｃｃｅｓｓ  Ｃｏｎｔｒｏｌ、ＭＡＣ）シグナリングなどを含むことができる。又は端末デバイスにタイマを配置することもでき、すなわち、特定の時間規則に従って異なるＢＷＰの間で切り替えることができる。ネットワークデバイスが切り替えを端末デバイスに指示する場合、すなわち活性化されるべきＢＷＰの情報を通知してもよく、例えば識別子であるか、又は活性化されるべきＢＷＰの中心周波数点、帯域幅情報、又は基本パラメータセットのうちの少なくとも１つでもよい。
【００４６】
対応するＢＷＰ内のＳＰＳリソースを取得するように端末デバイスをトリガするための指示情報は、該ＢＷＰを活性化するための指示情報を再利用することができ、また該ＢＷＰを活性化するための指示情報と１つの情報内の異なるヒットに位置するものでもよく、さらに別々の２つの情報でもよく、本願の実施例はこれを限定しない。
【００４７】
対応するＢＷＰ内のＳＰＳリソースを取得するように端末デバイスをトリガするための指示情報が該ＢＷＰを活性化するための指示情報と異なる場合、該２つの指示情報はいずれも、上記のＲＲＣシグナリング、ＤＣＩ、又はＭＡＣシグナリングによって端末デバイスに送信されてもよい。
【００４８】
任意選択的に、本願の実施例では、該端末デバイスが該第２の指示情報を受信した後、かつ、該端末デバイスが該第１の指示情報を受信する前、該第１のＢＷＰ内のセミパーシステントスケジューリングリソースは、非活性化状態にある。
【００４９】
端末デバイスがＢＷＰを活性化するたびに、上記の第１の指示情報を受信する場合にしか、対応するＢＷＰ内のＳＰＳリソース上でデータを伝送することができず、そうでない場合は、端末デバイスがあるＢＷＰを活性化すると、該ＢＷＰ内のＳＰＳリソースは使用が禁止されている、つまり、非活性化状態にあると見なすことができる。
【００５０】
端末デバイスが１つのＢＷＰから別の１つのＢＷＰに切り替わるとき、前のＢＷＰ内のＳＰＳリソースは活性化状態にあってもよく、すなわち、前のＢＷＰ内のＳＰＳリソース上でデータを伝送することができ、該前のＢＷＰ内のＳＰＳリソースは非活性化状態にあってもよく、言い換えれば、端末デバイスの動作ＢＷＰが前のＢＷＰである場合、該前のＢＷＰ内のＳＰＳリソース上ではデータの送信が禁止される。
【００５１】
任意選択的に、本願の実施例では、該端末デバイスが該第１の指示情報に従って該第１のＢＷＰ内のセミパーシステントスケジューリングリソースを決定することは、該端末デバイスが該第１の指示情報に従って該第１のＢＷＰ内のセミパーシステントスケジューリングリソースの周波数領域位置を決定することを含む。該端末デバイスが該第１のＢＷＰ内のセミパーシステントスケジューリングリソース上で該ネットワークデバイスとデータ伝送を行うことは、該端末デバイスが事前に設定された周期で該第１のＢＷＰ内のセミパーシステントスケジューリングリソース上で該ネットワークデバイスとデータ伝送を行うことを含む。
【００５２】
上記のように、ＳＰＳリソースはセミパーシステントに配置された固定周波数帯域であり、また該固定周波数帯域リソースをある固定ＵＥに周期的に割り当てる。そして、本願の実施例では、端末デバイスが現在の動作ＢＷＰを決定した後、端末デバイスはまず該現用ＢＷＰに対応するＳＰＳリソースの周波数領域位置を決定し、さらに端末デバイスは該ＳＰＳリソース上でデータ伝送を周期的に実行することができる。該周期は、ネットワークデバイスによって配置されてもよく、又は協定によって端末デバイス内に事前に記憶されてもよい。
【００５３】
任意選択的に、本願の実施例では、該ＳＰＳリソースは、アップリンクリソース、すなわちアップリンクデータを伝送するためのリソースでもよく、又はダウンリンクリソース、すなわちダウンリンクデータを伝送するためのリソースでもよい。
【００５４】
任意選択的に、本願の実施例では、該端末デバイスが該第１の指示情報に従って該第１のＢＷＰ内のセミパーシステントスケジューリングリソースを決定することは、該端末デバイスによって送信された該第１の指示情報を受信した後、該ネットワークデバイスの事前設定に従って該第１のＢＷＰ内のセミパーシステントスケジューリングリソースを決定することを含む。
【００５５】
具体的には、ネットワークデバイスは、該異なるＢＷＰ内のＳＰＳリソースを事前に配置してもよく、例えば、ＲＲＣシグナリングによって端末デバイスに周期、周波数領域リソース、あるいはデータを伝送するための変調符号化方式（Ｍｏｄｕｌａｔｉｏｎ  ａｎｄ  Ｃｏｄｉｎｇ  Ｓｃｈｅｍｅ、ＭＣＳ）などの様々なパラメータを配置してもよい。
【００５６】
図３は本願の実施例によるデータ伝送方法２００を示す別の概略ブロック図である。図３に示すように、該方法２００はＳ２１０の一部又は全ての内容を含む。
Ｓ２１０、ネットワークデバイスが第１の指示情報を端末デバイスに送信し、ここで、該第１の指示情報は、該端末デバイスが複数の帯域幅部分ＢＷＰにおいて活性化状態にある第１のＢＷＰ内のセミパーシステントスケジューリングリソース上でデータを伝送できることを指示するために用いられる。
【００５７】
従って、本願の実施例によるデータ伝送方法では、あるＢＷＰが活性化されると、ネットワークデバイスによって該ＢＷＰでのＳＰＳリソースの取得をトリガし、データ伝送の精度を向上させるのに役立つ。
【００５８】
任意選択的に、本願の実施例では、該第１の指示情報はさらに、該端末デバイスの動作ＢＷＰが該複数のＢＷＰのうちの第２のＢＷＰから該第１のＢＷＰに切り替えられることを指示するために用いられる。
【００５９】
任意選択的に、本願の実施例では、該ネットワークデバイスが第１の指示情報を端末デバイスに送信する前、該方法はさらに、該ネットワークデバイスが第２の指示情報を該端末デバイスに送信し、ここで、該第２の指示情報は、該端末デバイスの動作ＢＷＰが該複数のＢＷＰのうちの第２のＢＷＰから該第１のＢＷＰに切り替えられることを指示するために用いられることを含む。
【００６０】
任意選択的に、本願の実施例では、該第１の指示情報は、ダウンリンク制御情報ＤＣＩ又は無線リソース制御ＲＲＣシグナリングで運ばれる。
【００６１】
任意選択的に、本願の実施例では、該ネットワークデバイスが該第２の指示情報を送信した後、かつ、該ネットワークデバイスが該第１の指示情報を送信する前、該第１のＢＷＰ内のセミパーシステントスケジューリングリソースは、非活性化状態にある。
【００６２】
任意選択的に、本願の実施例では、該セミパーシステントスケジューリングリソースは、アップリンクリソース及び／又はダウンリンクリソースを含む。
【００６３】
任意選択的に、本願の実施例では、該方法はさらに、該ネットワークデバイスがＲＲＣシグナリングによって該第１のＢＷＰ内のセミパーシステントスケジューリングリソースを該端末デバイスに配置することを含む。
【００６４】
ネットワークデバイスによって記述されたネットワークデバイスと端末デバイスとの間の対話及び関連する特性、機能などは、端末デバイスの関連する特性、機能に対応することを理解されたい。関連する内容は、上記の方法１００において詳細に説明されている。簡潔にするために、ここでは繰り返さない。
【００６５】
また、本願の様々な実施例において、上記の各プロセスのシーケンス番号の大きさは実行の順番を意味せず、各プロセスの実行の順番はその機能及び内部論理によって決定されるべきであり、本願の実施例の実施プロセスに対していかなる限定をしてはいけない。
【００６６】
以上では、本願の実施例によるデータ伝送方法について詳しく説明したが、以下、図４乃至図７を参照して本願の実施例によるデータ伝送装置について説明し、方法の実施例に記載の技術的解決手段は以下の装置の実施例に適用することができる。
【００６７】
図４は本願の実施例による端末デバイス３００を示す概略ブロック図である。図４に示すように、該端末デバイス３００は、
ネットワークデバイスによって送信された第１の指示情報を受信するために用いられ、ここで、該第１の指示情報は、少なくとも１つの帯域幅部分ＢＷＰにおいて活性化状態にある第１のＢＷＰ内のセミパーシステントスケジューリングリソース上でデータを伝送できることを指示するために用いられる第１の受信ユニット３１０と、
該第１の指示情報に従って該第１のＢＷＰ内のセミパーシステントスケジューリングリソースを決定するための決定ユニット３２０と、
該第１のＢＷＰ内のセミパーシステントスケジューリングリソース上で該ネットワークデバイスとデータ伝送を行うための伝送ユニット３３０と、を含む。
【００６８】
従って、本願の実施例の端末デバイスは、あるＢＷＰが活性化されると、ネットワークデバイスによって該ＢＷＰでのＳＰＳリソースの取得をトリガし、データ伝送の精度を向上させるのに役立つ。
【００６９】
任意選択的に、本願の実施例では、該少なくとも１つのＢＷＰは、複数のＢＷＰであり、該第１の指示情報はさらに、該端末デバイスの動作ＢＷＰが該複数のＢＷＰのうちの第２のＢＷＰから該第１のＢＷＰに切り替えられることを指示するために用いられる。
【００７０】
任意選択的に、本願の実施例では、該少なくとも１つのＢＷＰは、複数のＢＷＰであり、該端末デバイスはさらに、該ネットワークデバイスによって送信された第２の指示情報を受信するために用いられ、ここで、該第２の指示情報は、該端末デバイスの動作ＢＷＰが該複数のＢＷＰのうちの第２のＢＷＰから該第１のＢＷＰに切り替えられることを指示するために用いられる第２の受信ユニットを含む。
【００７１】
任意選択的に、本願の実施例では、該決定ユニットは具体的には、該第１の指示情報に従って該第１のＢＷＰ内のセミパーシステントスケジューリングリソースの周波数領域位置を決定するために用いられる。該伝送ユニットは具体的には、事前に設定された周期で該第１のＢＷＰ内のセミパーシステントスケジューリングリソース上で該ネットワークデバイスとデータ伝送を行うために用いられる。
【００７２】
任意選択的に、本願の実施例では、該第２の受信ユニットが該第２の指示情報を受信した後、かつ、該第１の受信ユニットが該第１の指示情報を受信する前、該第１のＢＷＰ内のセミパーシステントスケジューリングリソースは、非活性化状態にある。
【００７３】
任意選択的に、本願の実施例では、該セミパーシステントスケジューリングリソースは、アップリンクリソース及び／又はダウンリンクリソースを含む。
【００７４】
任意選択的に、本願の実施例では、該第１の指示情報は、ダウンリンク制御情報ＤＣＩ又は無線リソース制御ＲＲＣシグナリングで運ばれる。
【００７５】
任意選択的に、本願の実施例では、該決定ユニットは具体的には、該端末デバイスによって送信された該第１の指示情報を受信した後、該ネットワークデバイスの事前設定に従って該第１のＢＷＰ内のセミパーシステントスケジューリングリソースを決定するために用いられる。
【００７６】
本願の実施例による端末デバイス３００は、本願の方法の実施例における端末デバイスに対応することができ、また端末デバイス３００における各ユニットの上記及び他の操作及び／又は機能のそれぞれは、図２の方法における端末デバイスの対応するプロセスを実現するために用いられ、簡潔にするために、ここでは繰り返さない。
【００７７】
図５は本願の実施例によるネットワークデバイス４００を示す概略ブロック図である。図５に示すように、該ネットワークデバイス４００は、
端末デバイスが複数の帯域幅部分ＢＷＰにおいて活性化状態にある第１のＢＷＰ内のセミパーシステントスケジューリングリソース上でデータを伝送できることを指示するために用いられる第１の指示情報を生成するための生成ユニット４１０と、
前記第１の指示情報を前記端末デバイスに送信するための第１の送信ユニット４２０と、を含む。
【００７８】
従って、本願の実施例のネットワークデバイスは、あるＢＷＰが活性化されると、ネットワークデバイスによって該ＢＷＰでのＳＰＳリソースの取得をトリガし、データ伝送の精度を向上させるのに役立つ。
【００７９】
任意選択的に、本願の実施例では、前記第１の指示情報はさらに、前記端末デバイスの動作ＢＷＰが前記複数のＢＷＰのうちの第２のＢＷＰから前記第１のＢＷＰに切り替えられることを指示するために用いられる。
【００８０】
任意選択的に、本願の実施例では、前記ネットワークデバイスはさらに、前記端末デバイスの動作ＢＷＰが前記複数のＢＷＰのうちの第２のＢＷＰから前記第１のＢＷＰに切り替えられることを指示するために用いられる第２の指示情報を前記端末デバイスに送信するための第２の送信ユニットを含む。
【００８１】
任意選択的に、本願の実施例では、前記第１の指示情報は、ダウンリンク制御情報ＤＣＩ又は無線リソース制御ＲＲＣシグナリングで運ばれる。
【００８２】
任意選択的に、本願の実施例では、前記第２の送信ユニットが前記第２の指示情報を送信した後、かつ、前記第１の送信ユニットが前記第１の指示情報を送信する前、前記第１のＢＷＰ内のセミパーシステントスケジューリングリソースは、非活性化状態にある。
【００８３】
任意選択的に、本願の実施例では、前記セミパーシステントスケジューリングリソースは、アップリンクリソース及び／又はダウンリンクリソースを含む。
【００８４】
任意選択的に、本願の実施例では、前記ネットワークデバイスはさらに、ＲＲＣシグナリングによって前記第１のＢＷＰ内のセミパーシステントスケジューリングリソースを前記端末デバイスに配置するための配置ユニットを含む。
【００８５】
本願の実施例によるネットワークデバイス４００は、本願の方法の実施例におけるネットワークデバイスに対応することができ、またネットワークデバイス４００における各ユニットの上記及び他の操作及び／又は機能のそれぞれは、図３の方法におけるネットワークデバイスの対応するプロセスを実現するために用いられ、簡潔にするために、ここでは繰り返さない。
【００８６】
図６に示すように、本願の実施例はさらに端末デバイス５００を提供し、該端末デバイス５００は図４における端末デバイス４００でもよく、それは図２における方法１００に対応する端末デバイスの内容を実行するために用いることができる。該端末デバイス５００は、入力インタフェース５１０と、出力インタフェース５２０と、プロセッサ５３０と、メモリ５４０とを含み、該入力インタフェース５１０、出力インタフェース５２０、プロセッサ５３０及びメモリ５４０は、バスシステムによって接続されてもよい。該メモリ５４０は、プログラム、命令又はコードを含み記憶するために用いられる。該プロセッサ５３０は、該メモリ５４０に記憶されているプログラム、命令又はコードを実行するために用いられ、それによって信号を受信するように入力インタフェース５１０を制御し、信号を送信するように出力インタフェース５２０を制御し、また前述の方法の実施例における操作を完了する。
【００８７】
従って、本願の実施例の端末デバイスは、あるＢＷＰが活性化されると、ネットワークデバイスによって該ＢＷＰでのＳＰＳリソースの取得をトリガし、データ伝送の精度を向上させるのに役立つ。
【００８８】
本願の実施例では、該プロセッサ５３０は、中央処理ユニット（Ｃｅｎｔｒａｌ  Ｐｒｏｃｅｓｓｉｎｇ  Ｕｎｉｔ、ＣＰＵ）でもよく、他の汎用プロセッサ、デジタル信号プロセッサ、專用集積回路、既製のプログラマブルゲートアレイ又は他のプログラマブルロジックデバイス、ディスクリートゲート又はトランジスタロジックデバイス、ディスクリートハードウェアコンポーネントなどでもよく、汎用プロセッサは、マイクロプロセッサでもよく、任意の従来のプロセッサなどでもよいと理解されたい。
【００８９】
該メモリ５４０は、読み取り専用メモリ及びランダムアクセスメモリを含むことができ、またプロセッサ５３０に命令及びデータを提供する。メモリ５４０の一部はまた、不揮発性ランダムアクセスメモリを含むことができる。例えば、メモリ５４０はデバイスタイプの情報を記憶することもできる。
【００９０】
実施プロセスでは、上記の方法の各内容は、プロセッサ５３０内のハードウェアの集積論理回路又はソフトウェア形態の命令によって完了することができる。本願の実施例において開示された方法の内容は、ハードウェアプロセッサとして直接実行されてもよく、又はプロセッサ内のハードウェア及びソフトウェアモジュールの組み合わせによって実行されてもよい。ソフトウェアモジュールは、ランダムアクセスメモリ、フラッシュメモリ、読み取り専用メモリ、プログラム可能読み取り専用メモリ、又は電気的消去可能プログラム可能メモリ、レジスタなどの当分野の公知の記憶媒体に配置されてもよい。該記憶媒体はメモリ５４０内に配置され、プロセッサ５３０はメモリ５４０内の情報を読み取り、ハードウェアを組み合わせて上記の方法の内容を完了する。繰り返しを避けるために、ここでは詳細に説明しない。
【００９１】
具体的な実施形態では、端末デバイス３００における決定ユニットは、図６のプロセッサ６３０によって実現することができる。端末デバイス３００における第１の受信ユニット、第２の受信ユニット、及び伝送ユニットは、図６の入力インタフェース６１０によって実現することができる。端末デバイス３００における伝送ユニットは、図６の出力インタフェース６２０によって実現することができる。
【００９２】
図７に示すように、本願の実施例はさらにネットワークデバイス６００を提供し、該ネットワークデバイス６００は図５におけるネットワークデバイス４００でもよく、それは図３における方法２００に対応するネットワークデバイスの内容を実行するために用いることができる。該ネットワークデバイス６００は、入力インタフェース６１０と、出力インタフェース６２０と、プロセッサ６３０と、メモリ６４０とを含み、該入力インタフェース６１０、出力インタフェース６２０、プロセッサ６３０及びメモリ６４０は、バスシステムによって接続されてもよい。該メモリ６４０は、プログラム、命令又はコードを含み記憶するために用いられる。該プロセッサ６３０は、該メモリ６４０に記憶されているプログラム、命令又はコードを実行するために用いられ、それによって信号を受信するように入力インタフェース６１０を制御し、信号を送信するように出力インタフェース６２０を制御し、また前述の方法の実施例における操作を完了する。
【００９３】
従って、本願の実施例のネットワークデバイスは、あるＢＷＰが活性化されると、ネットワークデバイスによって該ＢＷＰでのＳＰＳリソースの取得をトリガし、データ伝送の精度を向上させるのに役立つ。
【００９４】
本願の実施例では、該プロセッサ６３０は、中央処理ユニット（Ｃｅｎｔｒａｌ  Ｐｒｏｃｅｓｓｉｎｇ  Ｕｎｉｔ、ＣＰＵ）でもよく、他の汎用プロセッサ、デジタル信号プロセッサ、專用集積回路、既製のプログラマブルゲートアレイ又は他のプログラマブルロジックデバイス、ディスクリートゲート又はトランジスタロジックデバイス、ディスクリートハードウェアコンポーネントなどでもよく、汎用プロセッサは、マイクロプロセッサでもよく、任意の従来のプロセッサなどでもよいと理解されたい。
【００９５】
該メモリ６４０は、読み取り専用メモリ及びランダムアクセスメモリを含むことができ、またプロセッサ６３０に命令及びデータを提供する。メモリ６４０の一部はまた、不揮発性ランダムアクセスメモリを含むことができる。例えば、メモリ６４０はデバイスタイプの情報を記憶することもできる。
【００９６】
実施プロセスでは、上記の方法の各内容は、プロセッサ６３０内のハードウェアの集積論理回路又はソフトウェア形態の命令によって完了することができる。本願の実施例において開示された方法の内容は、ハードウェアプロセッサとして直接実行されてもよく、又はプロセッサ内のハードウェア及びソフトウェアモジュールの組み合わせによって実行されてもよい。ソフトウェアモジュールは、ランダムアクセスメモリ、フラッシュメモリ、読み取り専用メモリ、プログラム可能読み取り専用メモリ、又は電気的消去可能プログラム可能メモリ、レジスタなどの当分野の公知の記憶媒体に配置されてもよい。該記憶媒体はメモリ６４０内に配置され、プロセッサ６３０はメモリ６４０内の情報を読み取り、ハードウェアを組み合わせて上記の方法の内容を完了する。繰り返しを避けるために、ここでは詳細に説明しない。
【００９７】
具体的な実施形態では、ネットワークデバイス４００における第１の送信ユニット及び第２の送信ユニットは、図７の出力インタフェース６２０によって実現することができる。ネットワークデバイス４００における生成ユニット及び配置ユニットは、図７のプロセッサ６３０によって実現することができる。
【００９８】
当業者であれば理解できるように、本明細書に開示された実施例に関連して説明された様々な例のユニット及びアルゴリズムステップが、電子ハードウェア又はコンピュータソフトウェアと電子ハードウェアとの組み合わせによって実現することができる。これらの機能がハードウェアで実行されるかソフトウェアで実行されるかは、技術的解決手段の特定のアプリケーション及び設計上の制約によって異なる。当業者は、各特定の用途について記載された機能を実現するために異なる方法を使用することができるが、このような実現は本願の範囲を超えると見なされるべきではない。
【００９９】
当業者であれば明確に理解できるであろうが、説明の便宜上及び簡潔化のために、上記説明したシステム、装置及びユニットの具体的な動作プロセスは、前述した方法の実施例の対応するプロセスを参照することができるため、ここでは説明を省略する。
【０１００】
本願によって提供されるいくつかの実施例では、理解すべきことは、開示されたシステム、装置、及び方法は他の形態で実現することができるということである。例えば、以上で説明した装置の実施例は例示的なものにすぎず、例えば、該ユニットの区分は、論理的な機能の区分にすぎず、実際に実施する際は他の区分方式を用いてもよく、例えば、複数のユニット又は構成要素を組み合わせても又は他のシステムに統合してもよく、又はいくつかの特徴は考慮しなくてもよく、又は実行しなくてもよい。他方では、表示又は説明した相互間の結合又は直接結合又は通信接続は、いくつかのインタフェース、装置又はユニットを介した間接結合又は通信接続でもよく、電気的、機械的又は他の形態でもよい。
【０１０１】
該個別部材として説明したユニットは物理的に分けても、又はそうでなくてもよく、ユニットとして示した部材は物理ユニットでも、又はそうでなくてもよく、すなわち１つの場所に位置してもよく、又は複数のネットワークユニットに配置してもよい。実際の要件に基づき、そのうちの一部又は全てのユニットを選択することで本実施例の態様の目的を達成することができる。
【０１０２】
また、本願の各実施例における各機能ユニットは、１つの処理ユニットに統合しても、各ユニットが単独で物理的に存在してもよく、２つ又は２つ以上のユニットを１つのユニットに統合してもよい。
【０１０３】
該機能は、ソフトウェア機能ユニットとして実現され、スタンドアロン製品として販売又は使用される場合、１つのコンピュータ可読記憶媒体に記憶することができる。そのような理解に基づいて、本願の技術的解決手段又は先行技術に寄与する部分又は該技術的解決手段の一部は、ソフトウェア製品の形で実施することができ、該コンピュータソフトウェア製品は、１つの記憶媒体内に記憶され、１台のコンピュータデバイス（パーソナルコンピュータ、サーバ、又はネットワークデバイスなどでもよい）に本願の各実施例のステップの全部又は一部を実行させるためのいくつかの命令を含む。上記の記憶媒体は、Ｕディスク、モバイルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなど、プログラムコードを記憶できる種々の媒体を含む。
【０１０４】
上記の説明は、本願の具体的な実施形態にすぎず、本発明の保護範囲はこれらに限定されず、本明細書に開示された技術的範囲内で当業者が容易に想到できる変更や交替は、全て本願の保護範囲内に含まれている。従って、本願の保護範囲は特許請求の範囲の保護範囲に準ずるべきである。
【図１】
2021500770.tif 000003
【図２】
2021500770.tif 000004
【図３】
2021500770.tif 000005
【図４】
2021500770.tif 000006
【図５】
2021500770.tif 000007
【図６】
2021500770.tif 000008
【図７】
2021500770.tif 000009
【手続補正書】
【提出日】令和2年8月21日(2020.8.21)
【手続補正１】
【補正対象書類名】特許請求の範囲
【補正対象項目名】全文
【補正方法】変更
【補正の内容】
【特許請求の範囲】
【請求項１】
データ伝送方法であって、
端末デバイスがネットワークデバイスによって送信された第１の指示情報を受信し、ここで、前記第１の指示情報は、少なくとも１つの帯域幅部分ＢＷＰにおいて活性化状態にある第１のＢＷＰ内のセミパーシステントスケジューリングリソース上でデータを伝送できることを指示するために用いられることと、
前記端末デバイスが前記第１の指示情報に従って、前記第１のＢＷＰ内のセミパーシステントスケジューリングリソースを決定することと、
前記端末デバイスが前記第１のＢＷＰ内のセミパーシステントスケジューリングリソース上で前記ネットワークデバイスとデータ伝送を行うことと、を含むことを特徴とするデータ伝送方法。
【請求項２】
前記少なくとも１つのＢＷＰは複数のＢＷＰを含み、前記第１の指示情報はさらに、前記端末デバイスの動作ＢＷＰが前記複数のＢＷＰのうちの第２のＢＷＰから前記第１のＢＷＰに切り替えられることを指示するために用いられることを特徴とする請求項１に記載のデータ伝送方法。
【請求項３】
前記少なくとも１つのＢＷＰは複数のＢＷＰを含み、前記端末デバイスがネットワークデバイスによって送信された第１の指示情報を受信する前、前記データ伝送方法はさらに、
前記端末デバイスが前記ネットワークデバイスによって送信された第２の指示情報を受信し、ここで、前記第２の指示情報は、前記端末デバイスの動作ＢＷＰが前記複数のＢＷＰのうちの第２のＢＷＰから前記第１のＢＷＰに切り替えられることを指示するために用いられることを含むことを特徴とする請求項１に記載のデータ伝送方法。
【請求項４】
前記端末デバイスが前記第１の指示情報に従って前記第１のＢＷＰ内のセミパーシステントスケジューリングリソースを決定することは、
前記端末デバイスが前記第１の指示情報に従って、前記第１のＢＷＰ内のセミパーシステントスケジューリングリソースの周波数領域位置を決定することを含み、
前記端末デバイスが前記第１のＢＷＰ内のセミパーシステントスケジューリングリソース上で前記ネットワークデバイスとデータ伝送を行うことは、
前記端末デバイスが事前に設定された周期で前記第１のＢＷＰ内のセミパーシステントスケジューリングリソース上で前記ネットワークデバイスとデータ伝送を行うことを含むことを特徴とする請求項１から３のいずれか一項に記載のデータ伝送方法。
【請求項５】
前記端末デバイスが前記第２の指示情報を受信した後、かつ、前記端末デバイスが前記第１の指示情報を受信する前、前記第１のＢＷＰ内のセミパーシステントスケジューリングリソースは、非活性化状態にあることを特徴とする請求項３に記載のデータ伝送方法。
【請求項６】
前記セミパーシステントスケジューリングリソースは、アップリンクリソース及びダウンリンクリソースのうちの少なくとも１つを含むことを特徴とする請求項１から５のいずれか一項に記載のデータ伝送方法。
【請求項７】
前記第１の指示情報は、ダウンリンク制御情報ＤＣＩ又は無線リソース制御ＲＲＣシグナリングで運ばれることを特徴とする請求項１から６のいずれか一項に記載のデータ伝送方法。
【請求項８】
前記端末デバイスが前記第１の指示情報に従って前記第１のＢＷＰ内のセミパーシステントスケジューリングリソースを決定することは、
前記ネットワークデバイスによって送信された前記第１の指示情報を受信した後、前記端末デバイスが前記ネットワークデバイスの事前設定に従って前記第１のＢＷＰ内のセミパーシステントスケジューリングリソースを決定することを含むことを特徴とする請求項１から７のいずれか一項に記載のデータ伝送方法。
【請求項９】
データ伝送方法であって、
ネットワークデバイスが第１の指示情報を端末デバイスに送信し、ここで、前記第１の指示情報は、前記端末デバイスが複数の帯域幅部分ＢＷＰにおいて活性化状態にある第１のＢＷＰ内のセミパーシステントスケジューリングリソース上でデータを伝送できることを指示するために用いられることを含むことを特徴とするデータ伝送方法。
【請求項１０】
前記第１の指示情報はさらに、前記端末デバイスの動作ＢＷＰが前記複数のＢＷＰのうちの第２のＢＷＰから前記第１のＢＷＰに切り替えられることを指示するために用いられることを特徴とする請求項９に記載のデータ伝送方法。
【請求項１１】
前記ネットワークデバイスが第１の指示情報を端末デバイスに送信する前、前記データ伝送方法はさらに、
前記ネットワークデバイスが第２の指示情報を前記端末デバイスに送信し、ここで、前記第２の指示情報は、前記端末デバイスの動作ＢＷＰが前記複数のＢＷＰのうちの第２のＢＷＰから前記第１のＢＷＰに切り替えられることを指示するために用いられることを含むことを特徴とする請求項９に記載のデータ伝送方法。
【請求項１２】
前記第１の指示情報は、ダウンリンク制御情報ＤＣＩ又は無線リソース制御ＲＲＣシグナリングで運ばれることを特徴とする請求項９から１１のいずれか一項に記載のデータ伝送方法。
【請求項１３】
前記ネットワークデバイスが前記第２の指示情報を送信した後、かつ、前記ネットワークデバイスが前記第１の指示情報を送信する前、前記第１のＢＷＰ内のセミパーシステントスケジューリングリソースは、非活性化状態にあることを特徴とする請求項１１に記載のデータ伝送方法。
【請求項１４】
前記セミパーシステントスケジューリングリソースは、アップリンクリソース及びダウンリンクリソースのうちの少なくとも１つを含むことを特徴とする請求項９から１３のいずれか一項に記載のデータ伝送方法。
【請求項１５】
前記データ伝送方法はさらに、
前記ネットワークデバイスがＲＲＣシグナリングによって前記第１のＢＷＰ内のセミパーシステントスケジューリングリソースを前記端末デバイスに配置することを含むことを特徴とする請求項９から１４のいずれか一項に記載のデータ伝送方法。
【請求項１６】
端末デバイスであって、
ネットワークデバイスによって送信された第１の指示情報を受信するために用いられ、ここで、前記第１の指示情報は、少なくとも１つの帯域幅部分ＢＷＰにおいて活性化状態にある第１のＢＷＰ内のセミパーシステントスケジューリングリソース上でデータを伝送できることを指示するために用いられる第１の受信ユニットと、
前記第１の指示情報に従って前記第１のＢＷＰ内のセミパーシステントスケジューリングリソースを決定するための決定ユニットと、
前記第１のＢＷＰ内のセミパーシステントスケジューリングリソース上で前記ネットワークデバイスとデータ伝送を行うための伝送ユニットと、を含むことを特徴とする端末デバイス。
【請求項１７】
前記少なくとも１つのＢＷＰは複数のＢＷＰを含み、前記第１の指示情報はさらに、前記端末デバイスの動作ＢＷＰが前記複数のＢＷＰのうちの第２のＢＷＰから前記第１のＢＷＰに切り替えられることを指示するために用いられることを特徴とする請求項１６に記載の端末デバイス。
【請求項１８】
前記少なくとも１つのＢＷＰは複数のＢＷＰを含み、前記端末デバイスはさらに、
前記ネットワークデバイスによって送信された第２の指示情報を受信するために用いられ、ここで、前記第２の指示情報は、前記端末デバイスの動作ＢＷＰが前記複数のＢＷＰのうちの第２のＢＷＰから前記第１のＢＷＰに切り替えられることを指示するために用いられる第２の受信ユニットを含むことを特徴とする請求項１６に記載の端末デバイス。
【請求項１９】
前記決定ユニットは、
前記第１の指示情報に従って、前記第１のＢＷＰ内のセミパーシステントスケジューリングリソースの周波数領域位置を決定するために用いられ、
前記伝送ユニットは、
事前に設定された周期で前記第１のＢＷＰ内のセミパーシステントスケジューリングリソース上で前記ネットワークデバイスとデータ伝送を行うために用いられることを特徴とする請求項１６から１８のいずれか一項に記載の端末デバイス。
【請求項２０】
前記第２の受信ユニットが前記第２の指示情報を受信した後、かつ、前記第１の受信ユニットが前記第１の指示情報を受信する前、前記第１のＢＷＰ内のセミパーシステントスケジューリングリソースは、非活性化状態にあることを特徴とする請求項１８に記載の端末デバイス。
【請求項２１】
前記セミパーシステントスケジューリングリソースは、アップリンクリソース及びダウンリンクリソースのうちの少なくとも１つを含むことを特徴とする請求項１６から２０のいずれか一項に記載の端末デバイス。
【請求項２２】
前記第１の指示情報は、ダウンリンク制御情報ＤＣＩ又は無線リソース制御ＲＲＣシグナリングで運ばれることを特徴とする請求項１６から２１のいずれか一項に記載の端末デバイス。
【請求項２３】
前記決定ユニットは、
前記ネットワークデバイスによって送信された前記第１の指示情報を受信した後、前記ネットワークデバイスの事前設定に従って、前記第１のＢＷＰ内のセミパーシステントスケジューリングリソースを決定するために用いられることを特徴とする請求項１６から２２のいずれか一項に記載の端末デバイス。
【請求項２４】
ネットワークデバイスであって、
端末デバイスが複数の帯域幅部分ＢＷＰにおいて活性化状態にある第１のＢＷＰ内のセミパーシステントスケジューリングリソース上でデータを伝送できることを指示するために用いられる第１の指示情報を生成するための生成ユニットと、
前記第１の指示情報を前記端末デバイスに送信するための第１の送信ユニットと、を含むことを特徴とするネットワークデバイス。
【請求項２５】
前記第１の指示情報はさらに、前記端末デバイスの動作ＢＷＰが前記複数のＢＷＰのうちの第２のＢＷＰから前記第１のＢＷＰに切り替えられることを指示するために用いられることを特徴とする請求項２４に記載のネットワークデバイス。
【請求項２６】
前記ネットワークデバイスはさらに、
前記端末デバイスの動作ＢＷＰが前記複数のＢＷＰのうちの第２のＢＷＰから前記第１のＢＷＰに切り替えられることを指示するために用いられる第２の指示情報を前記端末デバイスに送信するための第２の送信ユニットを含むことを特徴とする請求項２４に記載のネットワークデバイス。
【請求項２７】
前記第１の指示情報は、ダウンリンク制御情報ＤＣＩ又は無線リソース制御ＲＲＣシグナリングで運ばれることを特徴とする請求項２４から２６のいずれか一項に記載のネットワークデバイス。
【請求項２８】
前記第２の送信ユニットが前記第２の指示情報を送信した後、かつ、前記第１の送信ユニットが前記第１の指示情報を送信する前、前記第１のＢＷＰ内のセミパーシステントスケジューリングリソースは、非活性化状態にあることを特徴とする請求項２６に記載のネットワークデバイス。
【請求項２９】
前記セミパーシステントスケジューリングリソースは、アップリンクリソース及びダウンリンクリソースのうちの少なくとも１つを含むことを特徴とする請求項２４から２８のいずれか一項に記載のネットワークデバイス。
【請求項３０】
前記ネットワークデバイスはさらに、
ＲＲＣシグナリングによって前記第１のＢＷＰ内のセミパーシステントスケジューリングリソースを前記端末デバイスに配置するための配置ユニットを含むことを特徴とする請求項２４から２９のいずれか一項に記載のネットワークデバイス。
【手続補正２】
【補正対象書類名】明細書
【補正対象項目名】全文
【補正方法】変更
【補正の内容】
【発明の詳細な説明】
【技術分野】
【０００１】
本願の実施例は、通信の分野に関し、特に、データ伝送方法、端末デバイス及びネットワークデバイスに関する。
【０００２】
ロングタームエボルブド（Ｌｏｎｇ  Ｔｅｒｍ  Ｅｖｏｌｖｅｄ、ＬＴＥ（登録商標））では、ネットワークデバイスは、データを伝送するためにシステム帯域幅で端末デバイスにセミパーシステントスケジューリング（Ｓｅｍｉ−Ｐｅｒｓｉｓｔｅｎｔ  Ｓｃｈｅｄｕｌｉｎｇ、ＳＰＳ）リソースを配置する。ニューラジオ（Ｎｅｗ  Ｒａｄｉｏ、ＮＲ）では、端末デバイスがサポートできるシステム帯域幅が２０ＭＨｚまでのＬＴＥのシステム帯域幅よりはるかに大きいので、スケジューリング効率を改善するために、帯域幅部分（ＢａｎｄＷｉｄｔｈ  Ｐａｒｔ、ＢＷＰ）の概念が導入される。無線リソース制御（Ｒａｄｉｏ  Ｒｅｓｏｕｒｃｅ  Ｃｏｎｔｒｏｌ、ＲＲＣ）接続状態では、ネットワークは端末に１つ以上のＢＷＰを配置する。端末デバイスが活性化されたＢＷＰ内のＳＰＳリソースをどのように使用してデータを伝送するかは、解決される必要がある問題である。
【発明の概要】
【発明が解決しようとする課題】
【０００３】
これに鑑みて、本願の実施例は、データ伝送の精度を向上させるのに役立つ、データ伝送方法、端末デバイス及びネットワークデバイスを提供する。
【課題を解決するための手段】
【０００４】
第１の態様にて提供されるデータ伝送方法は、端末デバイスがネットワークデバイスによって送信された第１の指示情報を受信し、ここで、該第１の指示情報は、少なくとも１つの帯域幅部分ＢＷＰにおいて活性化状態にある第１のＢＷＰ内のセミパーシステントスケジューリングリソース上でデータを伝送できることを指示するために用いられることと、該端末デバイスが該第１の指示情報に従って該第１のＢＷＰ内のセミパーシステントスケジューリングリソースを決定することと、該端末デバイスが該第１のＢＷＰ内のセミパーシステントスケジューリングリソース上で該ネットワークデバイスとデータ伝送を行うことと、を含む。
【０００５】
あるＢＷＰが活性化されている場合、ネットワークデバイスによって該ＢＷＰでのＳＰＳリソースの取得をトリガし、これはデータ伝送の精度を向上させるのに役立つ。
【０００６】
ＢＷＰは周波数領域の次元概念である。基本パラメータセット、中心周波数点、及び帯域幅のうちの少なくとも１つのパラメータが異なることで異なるＢＷＰになり得る。
【０００７】
ネットワークデバイスは端末デバイスに対して１つ又は複数のＢＷＰを配置することができ、ネットワークデバイスは異なるＢＷＰに対して対応するＳＰＳリソースを同時に配置することができる。
【０００８】
１つの可能な実施形態では、該少なくとも１つのＢＷＰは複数のＢＷＰを含み、該第１の指示情報はさらに、該端末デバイスの動作ＢＷＰが該複数のＢＷＰのうちの第２のＢＷＰから該第１のＢＷＰに切り替えられることを指示するために用いられる。
【０００９】
１つの可能な実施形態では、該少なくとも１つのＢＷＰは複数のＢＷＰを含み、該端末デバイスがネットワークデバイスによって送信された第１の指示情報を受信する前、該方法はさらに、該端末デバイスが該ネットワークデバイスによって送信された第２の指示情報を受信し、ここで、該第２の指示情報は、該端末デバイスの動作ＢＷＰが該複数のＢＷＰのうちの第２のＢＷＰから該第１のＢＷＰに切り替えられることを指示するために用いられることを含む。
【００１０】
１つの可能な実施形態では、該端末デバイスが該第１の指示情報に従って該第１のＢＷＰ内のセミパーシステントスケジューリングリソースを決定することは、該端末デバイスが該第１の指示情報に従って該第１のＢＷＰ内のセミパーシステントスケジューリングリソースの周波数領域位置を決定することを含む。該端末デバイスが該第１のＢＷＰ内のセミパーシステントスケジューリングリソース上で該ネットワークデバイスとデータ伝送を行うことは、該端末デバイスが事前に設定された周期で該第１のＢＷＰ内のセミパーシステントスケジューリングリソース上で該ネットワークデバイスとデータ伝送を行うことを含む。
【００１１】
１つの可能な実施形態では、該端末デバイスが該第２の指示情報を受信した後、かつ、該端末デバイスが該第１の指示情報を受信する前、該第１のＢＷＰ内のセミパーシステントスケジューリングリソースは、非活性化状態にある。
【００１２】
１つの可能な実施形態では、該セミパーシステントスケジューリングリソースは、アップリンクリソース及びダウンリンクリソースのうちの少なくとも１つを含む。
【００１３】
１つの可能な実施形態では、該第１の指示情報は、ダウンリンク制御情報ＤＣＩ又は無線リソース制御ＲＲＣシグナリングで運ばれる。
【００１４】
１つの可能な実施形態では、該端末デバイスが該第１の指示情報に従って該第１のＢＷＰ内のセミパーシステントスケジューリングリソースを決定することは、該ネットワークデバイスによって送信された該第１の指示情報を受信した後、該端末デバイスが該ネットワークデバイスの事前設定に従って該第１のＢＷＰ内のセミパーシステントスケジューリングリソースを決定することを含む。
【００１５】
第２の態様にて提供されるデータ伝送方法は、ネットワークデバイスが第１の指示情報を端末デバイスに送信し、ここで、該第１の指示情報は、該端末デバイスが複数の帯域幅部分ＢＷＰにおいて活性化状態にある第１のＢＷＰ内のセミパーシステントスケジューリングリソース上でデータを伝送できることを指示するために用いられることを含む。
【００１６】
１つの可能な実施形態では、該第１の指示情報はさらに、該端末デバイスの動作ＢＷＰが該複数のＢＷＰのうちの第２のＢＷＰから該第１のＢＷＰに切り替えられることを指示するために用いられる。
【００１７】
１つの可能な実施形態では、該ネットワークデバイスが第１の指示情報を端末デバイスに送信する前、該方法はさらに、該ネットワークデバイスが第２の指示情報を該端末デバイスに送信し、ここで、該第２の指示情報は、該端末デバイスの動作ＢＷＰが該複数のＢＷＰのうちの第２のＢＷＰから該第１のＢＷＰに切り替えられることを指示するために用いられることを含む。
【００１８】
１つの可能な実施形態では、該第１の指示情報は、ダウンリンク制御情報ＤＣＩ又は無線リソース制御ＲＲＣシグナリングで運ばれる。
【００１９】
１つの可能な実施形態では、該ネットワークデバイスが該第２の指示情報を送信した後、かつ、該ネットワークデバイスが該第１の指示情報を送信する前、該第１のＢＷＰ内のセミパーシステントスケジューリングリソースは、非活性化状態にある。
【００２０】
１つの可能な実施形態では、該セミパーシステントスケジューリングリソースは、アップリンクリソース及びダウンリンクリソースのうちの少なくとも１つを含む。
【００２１】
１つの可能な実施形態では、該方法はさらに、該ネットワークデバイスがＲＲＣシグナリングによって該第１のＢＷＰ内のセミパーシステントスケジューリングリソースを該端末デバイスに配置することを含む。
【００２２】
第３の態様にて提供される端末デバイスは、上記の第１の態様又は第１の態様のいずれかの可能な実施形態の方法を実行するために用いられる。具体的には、該端末デバイスは、上記の第１の態様又は第１の態様のいずれかの可能な実施形態の方法を実行するためのユニットを含む。
【００２３】
第４の態様にて提供されるネットワークデバイスは、上記の第２の態様又は第２の態様のいずれかの可能な実施形態の方法を実行するために用いられる。具体的には、該ネットワークデバイスは、上記の第２の態様又は第２の態様のいずれかの可能な実施形態の方法を実行するためのユニットを含む。
【００２４】
第５の態様にて提供される端末デバイスは、メモリと、プロセッサと、入力インタフェースと、出力インタフェースとを含み、ここで、メモリ、プロセッサ、入力インタフェース及び出力インタフェースは、バスシステムによって接続される。該メモリは、命令を記憶するために用いられ、該プロセッサは、該メモリに記憶されている命令を実行するために用いられ、上記の第１の態様又は第１の態様のいずれかの可能な実施形態の方法を実行するために用いられる。
【００２５】
第６の態様にて提供されるネットワークデバイスは、メモリと、プロセッサと、入力インタフェースと、出力インタフェースとを含む。ここで、メモリ、プロセッサ、入力インタフェース及び出力インタフェースは、バスシステムによって接続される。該メモリは、命令を記憶するために用いられ、該プロセッサは、該メモリに記憶されている命令を実行するために用いられ、上記の第２の態様又は第２の態様のいずれかの可能な実施形態の方法を実行するために用いられる。
【００２６】
第７の態様にて提供されるコンピュータ記憶媒体は、上記の第１の態様又は第１の態様のいずれかの可能な実施形態の方法、又は上記の第２の態様又は第２の態様のいずれかの可能な実施形態の方法を実行するように設計されたコンピュータソフトウェア命令を記憶するために用いられ、該命令は上記態様を実行するために設計されたプログラムを含む。
【００２７】
第８の態様にて提供される命令を含むコンピュータプログラム製品は、コンピュータ上で実行されると、コンピュータに、上記の第１の態様又は第１の態様のいずれかの可能な実施形態の方法、又は上記の第２の態様又は第２の態様のいずれかの可能な実施形態の方法を実行させる。
【００２８】
本願のこれらの態様又は他の態様は以下の実施例における説明からより容易に明らかになるであろう。
【図面の簡単な説明】
【００２９】
【図１】本願の実施例による適用シナリオを示す概略図である。
【図２】本願の実施例によるデータ伝送方法を示す概略ブロック図である。
【図３】本願の実施例によるデータ伝送方法を示す別の概略ブロック図である。
【図４】本願の実施例による端末デバイスを示す概略ブロック図である。
【図５】本願の実施例によるネットワークデバイスを示す概略ブロック図である。
【図６】本願の実施例による端末デバイスを示す別の概略ブロック図である。
【図７】本願の実施例によるネットワークデバイスを示す別の概略ブロック図である。
【発明を実施するための形態】
【００３０】
以下、実施例における添付の図面を参照して本願の実施例における技術的解決手段を明確かつ完全に説明する。
【００３１】
本願の実施例の技術的解決手段は、グローバル移動通信システム（Ｇｌｏｂａｌ  Ｓｙｓｔｅｍ  ｏｆ  Ｍｏｂｉｌｅ  ｃｏｍｍｕｎｉｃａｔｉｏｎ、ＧＳＭ（登録商標））システム、符号分割多重アクセス（Ｃｏｄｅ  Ｄｉｖｉｓｉｏｎ  Ｍｕｌｔｉｐｌｅ  Ａｃｃｅｓｓ、ＣＤＭＡ）システム、広帯域符号分割多重アクセス（Ｗｉｄｅｂａｎｄ  Ｃｏｄｅ  Ｄｉｖｉｓｉｏｎ  Ｍｕｌｔｉｐｌｅ  Ａｃｃｅｓｓ、ＷＣＤＭＡ）システム、汎用パケット無線サービス（Ｇｅｎｅｒａｌ  Ｐａｃｋｅｔ  Ｒａｄｉｏ  Ｓｅｒｖｉｃｅ、ＧＰＲＳ）、ＬＴＥシステム、ＬＴＥ周波数分割複信（Ｆｒｅｑｕｅｎｃｙ  Ｄｉｖｉｓｉｏｎ  Ｄｕｐｌｅｘ、ＦＤＤ）システム、ＬＴＥ時分割複信（Ｔｉｍｅ  Ｄｉｖｉｓｉｏｎ  Ｄｕｐｌｅｘ、ＴＤＤ）、ユニバーサル移動通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ、ＵＭＴＳ）、マイクロ波アクセスのための世界規模の相互運用性（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ、ＷｉＭＡＸ）通信システム、ニューラジオ（Ｎｅｗ  Ｒａｄｉｏ、ＮＲ）又は将来の５Ｇシステムなどの様々な通信システムに適用することができることを理解されたい。
【００３２】
特に、本願の実施例の技術的解決手段は、例えばスパースコード多重アクセス（Ｓｐａｒｓｅ  Ｃｏｄｅ  Ｍｕｌｔｉｐｌｅ  Ａｃｃｅｓｓ、ＳＣＭＡ）システム、低密度署名（Ｌｏｗ  Ｄｅｎｓｉｔｙ  Ｓｉｇｎａｔｕｒｅ、ＬＤＳ）システムなどの非直交多重アクセス技術に基づく様々な通信システムに適用することができ、もちろん、ＳＣＭＡシステム及びＬＤＳシステムは、通信の分野では他の名前と呼ぶこともできる。さらに、本願の実施例の技術的解決手段は、例えば非直交多重アクセス技術を用いた直交周波数分割多重（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ、ＯＦＤＭ）、フィルターバンクマルチキャリア（Ｆｉｌｔｅｒ  Ｂａｎｋ  Ｍｕｌｔｉ−Ｃａｒｒｉｅｒ、ＦＢＭＣ）、汎用周波数分割多重（Ｇｅｎｅｒａｌｉｚｅｄ  Ｆｒｅｑｕｅｎｃｙ  Ｄｉｖｉｓｉｏｎ  Ｍｕｌｔｉｐｌｅｘｉｎｇ、ＧＦＤＭ）、フィルター直交周波数分割多重（Ｆｉｌｔｅｒｅｄ−ＯＦＤＭ、Ｆ−ＯＦＤＭ）システムなどの非直交多重アクセス技術を用いたマルチキャリア伝送システムに適用することができる。
【００３３】
本願の実施例における端末デバイスは、ユーザ機器（Ｕｓｅｒ  Ｅｑｕｉｐｍｅｎｔ、ＵＥ）、アクセス端末、ユーザユニット、ユーザステーション、モバイルステーション、移動基地局、遠隔局、遠隔端末、モバイルデバイス、ユーザ端末、端末、無線通信デバイス、ユーザ代行又はユーザ装置を指してもよい。アクセス端末は、セル方式携帯電話、コードレス電話、セッション開始プロトコル（Ｓｅｓｓｉｏｎ  Ｉｎｉｔｉａｔｉｏｎ  Ｐｒｏｔｏｃｏｌ、ＳＩＰ）電話、ワイヤレスローカルループ（Ｗｉｒｅｌｅｓｓ  Ｌｏｃａｌ  Ｌｏｏｐ、ＷＬＬ）ステーション、パーソナルデジタルアシスタント（Ｐｅｒｓｏｎａｌ  Ｄｉｇｉｔａｌ  Ａｓｓｉｓｔａｎｔ、ＰＤＡ）、無線通信機能を備えたハンドヘルドデバイス、コンピューティングデバイス又はワイヤレスモデムに接続されたその他の処理デバイス、車載デバイス、ウェアラブルデバイス、将来の５Ｇネットワークにおける端末デバイス又は将来の発展型パブリックランドモバイルネットワーク（Ｐｕｂｌｉｃ  Ｌａｎｄ  Ｍｏｂｉｌｅ  Ｎｅｔｗｏｒｋ、ＰＬＭＮ）における端末デバイスなどでもよく、本願の実施例では限定されない。
【００３４】
本願の実施例におけるネットワークデバイスは、端末デバイスと通信するためのデバイスでもよく、該ネットワークデバイスは、ＧＳＭ又はＣＤＭＡにおける基地局（Ｂａｓｅ  Ｔｒａｎｓｃｅｉｖｅｒ  Ｓｔａｔｉｏｎ、ＢＴＳ）でもよく、ＷＣＤＭＡシステムにおける基地局（ＮｏｄｅＢ、ＮＢ）でもよく、又はＬＴＥシステムにおける発展型基地局（Ｅｖｏｌｕｔｉｏｎａｌ  ＮｏｄｅＢ、ｅＮＢ又はｅＮｏｄｅＢ）でもよく、クラウド無線アクセスネットワーク（Ｃｌｏｕｄ  Ｒａｄｉｏ  Ａｃｃｅｓｓ  Ｎｅｔｗｏｒｋ、ＣＲＡＮ）シナリオにおける無線コントローラでもよく、又は該ネットワークデバイスは、中継局、アクセスポイント、車載デバイス、ウェアラブルデバイス及び将来の５Ｇネットワークにおけるネットワークデバイス、又は将来の発展型ＰＬＭＮネットワークにおけるネットワークデバイスなどでもよく、本願の実施例では限定されない。
【００３５】
図１は本願の実施例による適用シナリオを示す概略図である。図１の通信システムは、端末デバイス１０とネットワークデバイス２０とを含むことができる。ネットワークデバイス２０は、端末デバイス１０に通信サービスを提供してコアネットワークにアクセスするために用いられ、端末デバイス１０は、ネットワークデバイス２０から送信された同期信号や放送信号などを検索することによりネットワークにアクセスし、またネットワークと通信を行う。図１に示す矢印は、端末デバイス１０とネットワークデバイス２０との間のセルラーリンクを介して実行しているアップリンク／ダウンリンク伝送を表すことができる。
【００３６】
ＳＰＳは、無線リソースをセミパーシステントに配置し、該リソースをある固定ＵＥに周期的に割り当てることができるという点で動的スケジューリングとは異なる。簡単に言うと、スケジューリングユニット内のあるリソースがｅＮｏｄｅＢによってあるＵＥに割り当てられると、該ＵＥは各スケジューリングユニット内の固定リソース上でデータを送受信することができる。ＳＰＳは、各スケジューリングユニットにおいてＵＥにダウンリンク制御情報（Ｄｏｗｎｌｉｎｋ  Ｃｏｎｔｒｏｌ  Ｉｎｆｏｒｍａｔｉｏｎ、ＤＣＩ）を送信する必要がないため、制御シグナリングのオーバーヘッドを削減する。
【００３７】
ＬＴＥにおいてネットワークデバイスによって端末デバイスに割り当てられたＳＰＳリソースは、システム帯域幅全体に対するものである。ＮＲでは、端末がサポートするシステム帯域幅は、ＬＴＥにおいて端末がサポートする最大２０ＭＨｚのシステム帯域幅よりはるかに大きい。一部の端末では、能力が制限されているため、必ずしもシステムの全帯域幅をサポートできるわけではない。スケジューリング効率を改善するために、ＢＷＰの概念がＮＲに導入され、そしてＢＷＰが周波数領域の次元概念である。基本パラメータセット、中心周波数点、及び帯域幅のうちの少なくとも１つのパラメータが異なることで異なるＢＷＰになり得る。ＲＲＣ接続状態では、ネットワークは端末に対して１つ又は複数のＢＷＰを配置することができる。１つの時点では、端末は１つの活性化されたＢＷＰしかサポートすることができず、いわゆるＢＷＰを活性化するのは、端末があるＢＷＰによって指定される周波数帯域において、データ送信、システムメッセージなどを含む信号を受信できることを意味する。
【００３８】
異なるＢＷＰの周波数帯域が異なるため、ネットワークによって割り当てられたＳＰＳリソースはもちろん全てのＢＷＰに適用可能ではなく、各ＢＷＰに対してそれぞれ対応するＳＰＳリソースを割り当てる必要がある。あるＢＷＰが活性化されると、端末デバイスがどのようにして該ＢＷＰ内のＳＰＳリソースを取得するかが解決されるべき問題である。
【００３９】
図２は本願の実施例によるデータ伝送方法１００を示す概略ブロック図である。図２に示すように、該方法１００は、Ｓ１１０〜Ｓ１３０の一部又は全ての内容を含む。
Ｓ１１０、端末デバイスがネットワークデバイスによって送信された第１の指示情報を受信し、ここで、該第１の指示情報は、少なくとも１つの帯域幅部分ＢＷＰにおいて活性化状態にある第１のＢＷＰ内のセミパーシステントスケジューリングリソース上でデータを伝送できることを指示するために用いられる。
Ｓ１２０、該端末デバイスが該第１の指示情報に従って該第１のＢＷＰ内のセミパーシステントスケジューリングリソースを決定する。
Ｓ１３０、該端末デバイスが該第１のＢＷＰ内のセミパーシステントスケジューリングリソース上で該ネットワークデバイスとデータ伝送を行う。
【００４０】
具体的には、ネットワークデバイスは端末デバイスに対して１つ又は複数のＢＷＰを配置することができ、かつ、各ＢＷＰに対して異なるＳＰＳリソースを配置することができ、例えば各ＢＷＰでのＳＰＳリソースの周波数領域位置及びＳＰＳリソースのうちの少なくとも１つの周期を配置することができる。端末デバイスがどのＢＷＰが活性化状態にあるかを決定する時、ネットワークデバイスは端末デバイスに１つのトリガ情報を送信し、対応するＢＷＰ内のＳＰＳリソースを決定するように端末デバイスをトリガすることができる。該トリガ情報は上記の指示情報を指し、該ＢＷＰ内のＳＰＳリソースを活性化するか、又は、該ＢＷＰ内のＳＰＳリソース上でデータを伝送できることを端末デバイスに通知するために用いられ、端末デバイスは、該トリガ情報に従って、該ＢＷＰ内のＳＰＳリソースの位置情報を取得し、その後、端末デバイスは、該ＳＰＳリソース上でデータを送受信することができる。
【００４１】
従って、本願の実施例によるデータ伝送方法では、あるＢＷＰが活性化されると、ネットワークデバイスによって該ＢＷＰでのＳＰＳリソースの取得をトリガし、データ伝送の精度を向上させるのに役立つ。
【００４２】
本願の１つの実施例では、該少なくとも１つのＢＷＰは、複数のＢＷＰであり、該第１の指示情報はさらに、該端末デバイスの動作ＢＷＰが該複数のＢＷＰのうちの第２のＢＷＰから該第１のＢＷＰに切り替えられることを指示するために用いられる。
【００４３】
本願の１つの実施例では、該少なくとも１つのＢＷＰは、複数のＢＷＰであり、該端末デバイスがネットワークデバイスによって送信された第１の指示情報を受信する前、該方法はさらに、該端末デバイスが該ネットワークデバイスによって送信された第２の指示情報を受信し、ここで、該第２の指示情報は、該端末デバイスの動作ＢＷＰが該複数のＢＷＰのうちの第２のＢＷＰから該第１のＢＷＰに切り替えられることを指示するために用いられることを含む。
【００４４】
ネットワークデバイスが端末デバイスに対して複数のＢＷＰを配置したとき、ネットワークデバイスは、端末デバイスに命令を送信することによって端末デバイスが複数のＢＷＰの間で切り替えるようにすることができ、すなわち、現在の１つのＢＷＰを活性化し、別の１つのＢＷＰを活性化する。
【００４５】
このような指示方法は、ＲＲＣシグナリング、ダウンリンク制御情報（Ｄｏｗｎｌｉｎｋ  Ｃｏｎｔｒｏｌ  Ｉｎｆｏｒｍａｔｉｏｎ、ＤＣＩ）、又はメディアアクセス制御（Ｍｅｄｉａ  Ａｃｃｅｓｓ  Ｃｏｎｔｒｏｌ、ＭＡＣ）シグナリングなどを含むことができる。又は端末デバイスにタイマを配置することもでき、すなわち、特定の時間規則に従って異なるＢＷＰの間で切り替えることができる。ネットワークデバイスが切り替えを端末デバイスに指示する場合、すなわち活性化されるべきＢＷＰの情報を通知してもよく、例えば識別子であるか、又は活性化されるべきＢＷＰの中心周波数点、帯域幅情報、又は基本パラメータセットのうちの少なくとも１つでもよい。
【００４６】
対応するＢＷＰ内のＳＰＳリソースを取得するように端末デバイスをトリガするための指示情報は、該ＢＷＰを活性化するための指示情報を再利用することができ、また該ＢＷＰを活性化するための指示情報と１つの情報内の異なるヒットに位置するものでもよく、さらに別々の２つの情報でもよく、本願の実施例はこれを限定しない。
【００４７】
対応するＢＷＰ内のＳＰＳリソースを取得するように端末デバイスをトリガするための指示情報が該ＢＷＰを活性化するための指示情報と異なる場合、該２つの指示情報はいずれも、上記のＲＲＣシグナリング、ＤＣＩ、又はＭＡＣシグナリングによって端末デバイスに送信されてもよい。
【００４８】
本願の１つの実施例では、該端末デバイスが該第２の指示情報を受信した後、かつ、該端末デバイスが該第１の指示情報を受信する前、該第１のＢＷＰ内のセミパーシステントスケジューリングリソースは、非活性化状態にある。
【００４９】
端末デバイスがＢＷＰを活性化するたびに、上記の第１の指示情報を受信する場合にしか、対応するＢＷＰ内のＳＰＳリソース上でデータを伝送することができず、そうでない場合は、端末デバイスがあるＢＷＰを活性化すると、該ＢＷＰ内のＳＰＳリソースは使用が禁止されている、つまり、非活性化状態にあると見なすことができる。
【００５０】
端末デバイスが１つのＢＷＰから別の１つのＢＷＰに切り替わるとき、前のＢＷＰ内のＳＰＳリソースは活性化状態にあってもよく、すなわち、前のＢＷＰ内のＳＰＳリソース上でデータを伝送することができ、該前のＢＷＰ内のＳＰＳリソースは非活性化状態にあってもよく、言い換えれば、端末デバイスの動作ＢＷＰが前のＢＷＰである場合、該前のＢＷＰ内のＳＰＳリソース上ではデータの送信が禁止される。
【００５１】
本願の１つの実施例では、該端末デバイスが該第１の指示情報に従って該第１のＢＷＰ内のセミパーシステントスケジューリングリソースを決定することは、該端末デバイスが該第１の指示情報に従って該第１のＢＷＰ内のセミパーシステントスケジューリングリソースの周波数領域位置を決定することを含む。該端末デバイスが該第１のＢＷＰ内のセミパーシステントスケジューリングリソース上で該ネットワークデバイスとデータ伝送を行うことは、該端末デバイスが事前に設定された周期で該第１のＢＷＰ内のセミパーシステントスケジューリングリソース上で該ネットワークデバイスとデータ伝送を行うことを含む。
【００５２】
上記のように、ＳＰＳリソースはセミパーシステントに配置された固定周波数帯域であり、また該固定周波数帯域リソースをある固定ＵＥに周期的に割り当てる。そして、本願の実施例では、端末デバイスが現在の動作ＢＷＰを決定した後、端末デバイスはまず該現用ＢＷＰに対応するＳＰＳリソースの周波数領域位置を決定し、さらに端末デバイスは該ＳＰＳリソース上でデータ伝送を周期的に実行することができる。該周期は、ネットワークデバイスによって配置されてもよく、又は協定によって端末デバイス内に事前に記憶されてもよい。
【００５３】
本願の１つの実施例では、該ＳＰＳリソースは、アップリンクリソース、すなわちアップリンクデータを伝送するためのリソースでもよく、又はダウンリンクリソース、すなわちダウンリンクデータを伝送するためのリソースでもよい。
【００５４】
本願の１つの実施例では、該端末デバイスが該第１の指示情報に従って該第１のＢＷＰ内のセミパーシステントスケジューリングリソースを決定することは、該ネットワークデバイスによって送信された該第１の指示情報を受信した後、該ネットワークデバイスの事前設定に従って該第１のＢＷＰ内のセミパーシステントスケジューリングリソースを決定することを含む。
【００５５】
具体的には、ネットワークデバイスは、該異なるＢＷＰ内のＳＰＳリソースを事前に配置してもよく、例えば、ＲＲＣシグナリングによって端末デバイスに周期、周波数領域リソース、あるいはデータを伝送するための変調符号化方式（Ｍｏｄｕｌａｔｉｏｎ  ａｎｄ  Ｃｏｄｉｎｇ  Ｓｃｈｅｍｅ、ＭＣＳ）などの様々なパラメータを配置してもよい。
【００５６】
図３は本願の実施例によるデータ伝送方法２００を示す別の概略ブロック図である。図３に示すように、該方法２００はＳ２１０の一部又は全ての内容を含む。
Ｓ２１０、ネットワークデバイスが第１の指示情報を端末デバイスに送信し、ここで、該第１の指示情報は、該端末デバイスが複数の帯域幅部分ＢＷＰにおいて活性化状態にある第１のＢＷＰ内のセミパーシステントスケジューリングリソース上でデータを伝送できることを指示するために用いられる。
【００５７】
従って、本願の実施例によるデータ伝送方法では、あるＢＷＰが活性化されると、ネットワークデバイスによって該ＢＷＰでのＳＰＳリソースの取得をトリガし、データ伝送の精度を向上させるのに役立つ。
【００５８】
本願の１つの実施例では、該第１の指示情報はさらに、該端末デバイスの動作ＢＷＰが該複数のＢＷＰのうちの第２のＢＷＰから該第１のＢＷＰに切り替えられることを指示するために用いられる。
【００５９】
本願の１つの実施例では、該ネットワークデバイスが第１の指示情報を端末デバイスに送信する前、該方法はさらに、該ネットワークデバイスが第２の指示情報を該端末デバイスに送信し、ここで、該第２の指示情報は、該端末デバイスの動作ＢＷＰが該複数のＢＷＰのうちの第２のＢＷＰから該第１のＢＷＰに切り替えられることを指示するために用いられることを含む。
【００６０】
本願の１つの実施例では、該第１の指示情報は、ダウンリンク制御情報ＤＣＩ又は無線リソース制御ＲＲＣシグナリングで運ばれる。
【００６１】
本願の１つの実施例では、該ネットワークデバイスが該第２の指示情報を送信した後、かつ、該ネットワークデバイスが該第１の指示情報を送信する前、該第１のＢＷＰ内のセミパーシステントスケジューリングリソースは、非活性化状態にある。
【００６２】
本願の１つの実施例では、該セミパーシステントスケジューリングリソースは、アップリンクリソース及び／又はダウンリンクリソースを含む。
【００６３】
本願の１つの実施例では、該方法はさらに、該ネットワークデバイスがＲＲＣシグナリングによって該第１のＢＷＰ内のセミパーシステントスケジューリングリソースを該端末デバイスに配置することを含む。
【００６４】
ネットワークデバイスによって記述されたネットワークデバイスと端末デバイスとの間の対話及び関連する特性、機能などは、端末デバイスの関連する特性、機能に対応することを理解されたい。関連する内容は、上記の方法１００において詳細に説明されている。簡潔にするために、ここでは繰り返さない。
【００６５】
また、本願の様々な実施例において、上記の各プロセスのシーケンス番号の大きさは実行の順番を意味せず、各プロセスの実行の順番はその機能及び内部論理によって決定されるべきであり、本願の実施例の実施プロセスに対していかなる限定をしてはいけない。
【００６６】
以上では、本願の実施例によるデータ伝送方法について詳しく説明したが、以下、図４乃至図７を参照して本願の実施例によるデータ伝送装置について説明し、方法の実施例に記載の技術的解決手段は以下の装置の実施例に適用することができる。
【００６７】
図４は本願の実施例による端末デバイス３００を示す概略ブロック図である。図４に示すように、該端末デバイス３００は、
ネットワークデバイスによって送信された第１の指示情報を受信するために用いられ、ここで、該第１の指示情報は、少なくとも１つの帯域幅部分ＢＷＰにおいて活性化状態にある第１のＢＷＰ内のセミパーシステントスケジューリングリソース上でデータを伝送できることを指示するために用いられる第１の受信ユニット３１０と、
該第１の指示情報に従って該第１のＢＷＰ内のセミパーシステントスケジューリングリソースを決定するための決定ユニット３２０と、
該第１のＢＷＰ内のセミパーシステントスケジューリングリソース上で該ネットワークデバイスとデータ伝送を行うための伝送ユニット３３０と、を含む。
【００６８】
従って、本願の実施例の端末デバイスは、あるＢＷＰが活性化されると、ネットワークデバイスによって該ＢＷＰでのＳＰＳリソースの取得をトリガし、データ伝送の精度を向上させるのに役立つ。
【００６９】
本願の１つの実施例では、該少なくとも１つのＢＷＰは、複数のＢＷＰであり、該第１の指示情報はさらに、該端末デバイスの動作ＢＷＰが該複数のＢＷＰのうちの第２のＢＷＰから該第１のＢＷＰに切り替えられることを指示するために用いられる。
【００７０】
本願の１つの実施例では、該少なくとも１つのＢＷＰは、複数のＢＷＰであり、該端末デバイスはさらに、該ネットワークデバイスによって送信された第２の指示情報を受信するために用いられ、ここで、該第２の指示情報は、該端末デバイスの動作ＢＷＰが該複数のＢＷＰのうちの第２のＢＷＰから該第１のＢＷＰに切り替えられることを指示するために用いられる第２の受信ユニットを含む。
【００７１】
本願の１つの実施例では、該決定ユニットは具体的には、該第１の指示情報に従って該第１のＢＷＰ内のセミパーシステントスケジューリングリソースの周波数領域位置を決定するために用いられる。該伝送ユニットは具体的には、事前に設定された周期で該第１のＢＷＰ内のセミパーシステントスケジューリングリソース上で該ネットワークデバイスとデータ伝送を行うために用いられる。
【００７２】
本願の１つの実施例では、該第２の受信ユニットが該第２の指示情報を受信した後、かつ、該第１の受信ユニットが該第１の指示情報を受信する前、該第１のＢＷＰ内のセミパーシステントスケジューリングリソースは、非活性化状態にある。
【００７３】
本願の１つの実施例では、該セミパーシステントスケジューリングリソースは、アップリンクリソース及びダウンリンクリソースのうちの少なくとも１つを含む。
【００７４】
本願の１つの実施例では、該第１の指示情報は、ダウンリンク制御情報ＤＣＩ又は無線リソース制御ＲＲＣシグナリングで運ばれる。
【００７５】
本願の１つの実施例では、該決定ユニットは具体的には、該ネットワークデバイスによって送信された該第１の指示情報を受信した後、該ネットワークデバイスの事前設定に従って該第１のＢＷＰ内のセミパーシステントスケジューリングリソースを決定するために用いられる。
【００７６】
本願の実施例による端末デバイス３００は、本願の方法の実施例における端末デバイスに対応することができ、また端末デバイス３００における各ユニットの上記及び他の操作及び／又は機能のそれぞれは、図２の方法における端末デバイスの対応するプロセスを実現するために用いられ、簡潔にするために、ここでは繰り返さない。
【００７７】
図５は本願の実施例によるネットワークデバイス４００を示す概略ブロック図である。図５に示すように、該ネットワークデバイス４００は、
端末デバイスが複数の帯域幅部分ＢＷＰにおいて活性化状態にある第１のＢＷＰ内のセミパーシステントスケジューリングリソース上でデータを伝送できることを指示するために用いられる第１の指示情報を生成するための生成ユニット４１０と、
前記第１の指示情報を前記端末デバイスに送信するための第１の送信ユニット４２０と、を含む。
【００７８】
従って、本願の実施例のネットワークデバイスは、あるＢＷＰが活性化されると、ネットワークデバイスによって該ＢＷＰでのＳＰＳリソースの取得をトリガし、データ伝送の精度を向上させるのに役立つ。
【００７９】
本願の１つの実施例では、前記第１の指示情報はさらに、前記端末デバイスの動作ＢＷＰが前記複数のＢＷＰのうちの第２のＢＷＰから前記第１のＢＷＰに切り替えられることを指示するために用いられる。
【００８０】
本願の１つの実施例では、前記ネットワークデバイスはさらに、前記端末デバイスの動作ＢＷＰが前記複数のＢＷＰのうちの第２のＢＷＰから前記第１のＢＷＰに切り替えられることを指示するために用いられる第２の指示情報を前記端末デバイスに送信するための第２の送信ユニットを含む。
【００８１】
本願の１つの実施例では、前記第１の指示情報は、ダウンリンク制御情報ＤＣＩ又は無線リソース制御ＲＲＣシグナリングで運ばれる。
【００８２】
本願の１つの実施例では、前記第２の送信ユニットが前記第２の指示情報を送信した後、かつ、前記第１の送信ユニットが前記第１の指示情報を送信する前、前記第１のＢＷＰ内のセミパーシステントスケジューリングリソースは、非活性化状態にある。
【００８３】
本願の１つの実施例では、前記セミパーシステントスケジューリングリソースは、アップリンクリソース及び／又はダウンリンクリソースを含む。
【００８４】
本願の１つの実施例では、前記ネットワークデバイスはさらに、ＲＲＣシグナリングによって前記第１のＢＷＰ内のセミパーシステントスケジューリングリソースを前記端末デバイスに配置するための配置ユニットを含む。
【００８５】
本願の実施例によるネットワークデバイス４００は、本願の方法の実施例におけるネットワークデバイスに対応することができ、またネットワークデバイス４００における各ユニットの上記及び他の操作及び／又は機能のそれぞれは、図３の方法におけるネットワークデバイスの対応するプロセスを実現するために用いられ、簡潔にするために、ここでは繰り返さない。
【００８６】
図６に示すように、本願の実施例はさらに端末デバイス５００を提供し、該端末デバイス５００は図４における端末デバイス３００でもよく、それは図２における方法１００に対応する端末デバイスの内容を実行するために用いることができる。該端末デバイス５００は、入力インタフェース５１０と、出力インタフェース５２０と、プロセッサ５３０と、メモリ５４０とを含み、該入力インタフェース５１０、出力インタフェース５２０、プロセッサ５３０及びメモリ５４０は、バスシステムによって接続されてもよい。該メモリ５４０は、プログラム、命令又はコードを記憶するために用いられる。該プロセッサ５３０は、該メモリ５４０に記憶されているプログラム、命令又はコードを実行するために用いられ、それによって信号を受信するように入力インタフェース５１０を制御し、信号を送信するように出力インタフェース５２０を制御し、また前述の方法の実施例における操作を完了する。
【００８７】
従って、本願の実施例の端末デバイスは、あるＢＷＰが活性化されると、ネットワークデバイスによって該ＢＷＰでのＳＰＳリソースの取得をトリガし、データ伝送の精度を向上させるのに役立つ。
【００８８】
本願の実施例では、該プロセッサ５３０は、中央処理ユニット（Ｃｅｎｔｒａｌ  Ｐｒｏｃｅｓｓｉｎｇ  Ｕｎｉｔ、ＣＰＵ）でもよく、他の汎用プロセッサ、デジタル信号プロセッサ、專用集積回路、既製のプログラマブルゲートアレイ又は他のプログラマブルロジックデバイス、ディスクリートゲート又はトランジスタロジックデバイス、ディスクリートハードウェアコンポーネントなどでもよく、汎用プロセッサは、マイクロプロセッサでもよく、任意の従来のプロセッサなどでもよいと理解されたい。
【００８９】
該メモリ５４０は、読み取り専用メモリ及びランダムアクセスメモリを含むことができ、またプロセッサ５３０に命令及びデータを提供する。メモリ５４０の一部はまた、不揮発性ランダムアクセスメモリを含むことができる。例えば、メモリ５４０はデバイスタイプの情報を記憶することもできる。
【００９０】
実施プロセスでは、上記の方法の各内容は、プロセッサ５３０内のハードウェアの集積論理回路又はソフトウェア形態の命令によって完了することができる。本願の実施例において開示された方法の内容は、ハードウェアプロセッサとして直接実行されてもよく、又はプロセッサ内のハードウェア及びソフトウェアモジュールの組み合わせによって実行されてもよい。ソフトウェアモジュールは、ランダムアクセスメモリ、フラッシュメモリ、読み取り専用メモリ、プログラム可能読み取り専用メモリ、又は電気的消去可能プログラム可能メモリ、レジスタなどの当分野の公知の記憶媒体に配置されてもよい。該記憶媒体はメモリ５４０内に配置され、プロセッサ５３０はメモリ５４０内の情報を読み取り、ハードウェアを組み合わせて上記の方法の内容を完了する。繰り返しを避けるために、ここでは詳細に説明しない。
【００９１】
具体的な実施形態では、端末デバイス３００における決定ユニットは、図６のプロセッサ６３０によって実現することができる。端末デバイス３００における第１の受信ユニットと第２の受信ユニットは、図６の入力インタフェース６１０によって実現することができる。端末デバイス３００における伝送ユニットは、図６の出力インタフェース６２０によって実現することができる。
【００９２】
図７に示すように、本願の実施例はさらにネットワークデバイス６００を提供し、該ネットワークデバイス６００は図５におけるネットワークデバイス４００でもよく、それは図３における方法２００に対応するネットワークデバイスの内容を実行するために用いることができる。該ネットワークデバイス６００は、入力インタフェース６１０と、出力インタフェース６２０と、プロセッサ６３０と、メモリ６４０とを含み、該入力インタフェース６１０、出力インタフェース６２０、プロセッサ６３０及びメモリ６４０は、バスシステムによって接続されてもよい。該メモリ６４０は、プログラム、命令又はコードを記憶するために用いられる。該プロセッサ６３０は、該メモリ６４０に記憶されているプログラム、命令又はコードを実行するために用いられ、それによって信号を受信するように入力インタフェース６１０を制御し、信号を送信するように出力インタフェース６２０を制御し、また前述の方法の実施例における操作を完了する。
【００９３】
従って、本願の実施例のネットワークデバイスは、あるＢＷＰが活性化されると、ネットワークデバイスによって該ＢＷＰでのＳＰＳリソースの取得をトリガし、データ伝送の精度を向上させるのに役立つ。
【００９４】
本願の実施例では、該プロセッサ６３０は、中央処理ユニット（Ｃｅｎｔｒａｌ  Ｐｒｏｃｅｓｓｉｎｇ  Ｕｎｉｔ、ＣＰＵ）でもよく、他の汎用プロセッサ、デジタル信号プロセッサ、專用集積回路、既製のプログラマブルゲートアレイ又は他のプログラマブルロジックデバイス、ディスクリートゲート又はトランジスタロジックデバイス、ディスクリートハードウェアコンポーネントなどでもよく、汎用プロセッサは、マイクロプロセッサでもよく、任意の従来のプロセッサなどでもよいと理解されたい。
【００９５】
該メモリ６４０は、読み取り専用メモリ及びランダムアクセスメモリを含むことができ、またプロセッサ６３０に命令及びデータを提供する。メモリ６４０の一部はまた、不揮発性ランダムアクセスメモリを含むことができる。例えば、メモリ６４０はデバイスタイプの情報を記憶することもできる。
【００９６】
実施プロセスでは、上記の方法の各内容は、プロセッサ６３０内のハードウェアの集積論理回路又はソフトウェア形態の命令によって完了することができる。本願の実施例において開示された方法の内容は、ハードウェアプロセッサとして直接実行されてもよく、又はプロセッサ内のハードウェア及びソフトウェアモジュールの組み合わせによって実行されてもよい。ソフトウェアモジュールは、ランダムアクセスメモリ、フラッシュメモリ、読み取り専用メモリ、プログラム可能読み取り専用メモリ、又は電気的消去可能プログラム可能メモリ、レジスタなどの当分野の公知の記憶媒体に配置されてもよい。該記憶媒体はメモリ６４０内に配置され、プロセッサ６３０はメモリ６４０内の情報を読み取り、ハードウェアを組み合わせて上記の方法の内容を完了する。繰り返しを避けるために、ここでは詳細に説明しない。
【００９７】
具体的な実施形態では、ネットワークデバイス４００における第１の送信ユニット及び第２の送信ユニットは、図７の出力インタフェース６２０によって実現することができる。ネットワークデバイス４００における生成ユニット及び配置ユニットは、図７のプロセッサ６３０によって実現することができる。
【００９８】
当業者であれば理解できるように、本明細書に開示された実施例に関連して説明された様々な例のユニット及びアルゴリズムステップが、電子ハードウェア又はコンピュータソフトウェアと電子ハードウェアとの組み合わせによって実現することができる。これらの機能がハードウェアで実行されるかソフトウェアで実行されるかは、技術的解決手段の特定のアプリケーション及び設計上の制約によって異なる。当業者は、各特定の用途について記載された機能を実現するために異なる方法を使用することができるが、このような実現は本願の範囲を超えると見なされるべきではない。
【００９９】
当業者であれば明確に理解できるであろうが、説明の便宜上及び簡潔化のために、上記説明したシステム、装置及びユニットの具体的な動作プロセスは、前述した方法の実施例の対応するプロセスを参照することができるため、ここでは説明を省略する。
【０１００】
本願によって提供されるいくつかの実施例では、理解すべきことは、開示されたシステム、装置、及び方法は他の形態で実現することができるということである。例えば、以上で説明した装置の実施例は例示的なものにすぎず、例えば、該ユニットの区分は、論理的な機能の区分にすぎず、実際に実施する際は他の区分方式を用いてもよく、例えば、複数のユニット又は構成要素を組み合わせても又は他のシステムに統合してもよく、又はいくつかの特徴は考慮しなくてもよく、又は実行しなくてもよい。他方では、表示又は説明した相互間の結合又は直接結合又は通信接続は、いくつかのインタフェース、装置又はユニットを介した間接結合又は通信接続でもよく、電気的、機械的又は他の形態でもよい。
【０１０１】
該個別部材として説明したユニットは物理的に分けても、又はそうでなくてもよく、ユニットとして示した部材は物理ユニットでも、又はそうでなくてもよく、すなわち１つの場所に位置してもよく、又は複数のネットワークユニットに配置してもよい。実際の要件に基づき、そのうちの一部又は全てのユニットを選択することで本実施例の態様の目的を達成することができる。
【０１０２】
また、本願の各実施例における各機能ユニットは、１つの処理ユニットに統合しても、各ユニットが単独で物理的に存在してもよく、２つ又は２つ以上のユニットを１つのユニットに統合してもよい。
【０１０３】
該機能は、ソフトウェア機能ユニットとして実現され、スタンドアロン製品として販売又は使用される場合、１つのコンピュータ可読記憶媒体に記憶することができる。そのような理解に基づいて、本願の技術的解決手段又は先行技術に寄与する部分又は該技術的解決手段の一部は、ソフトウェア製品の形で実施することができ、該コンピュータソフトウェア製品は、１つの記憶媒体内に記憶され、１台のコンピュータデバイス（パーソナルコンピュータ、サーバ、又はネットワークデバイスなどでもよい）に本願の各実施例のステップの全部又は一部を実行させるためのいくつかの命令を含む。上記の記憶媒体は、Ｕディスク、モバイルハードディスク、読み取り専用メモリ（Ｒｅａｄ−Ｏｎｌｙ  Ｍｅｍｏｒｙ、ＲＯＭ）、ランダムアクセスメモリ（Ｒａｎｄｏｍ  Ａｃｃｅｓｓ  Ｍｅｍｏｒｙ、ＲＡＭ）、磁気ディスク又は光ディスクなど、プログラムコードを記憶できる種々の媒体を含む。
【０１０４】
上記の説明は、本願の具体的な実施形態にすぎず、本発明の保護範囲はこれらに限定されず、本明細書に開示された技術的範囲内で当業者が容易に想到できる変更や交替は、全て本願の保護範囲内に含まれている。従って、本願の保護範囲は特許請求の範囲の保護範囲に準ずるべきである。
【国際調査報告】
2021500770.tif 000010
2021500770.tif 000011
2021500770.tif 000012
2021500770.tif 000013